(57)【要約】【課題】可変表示部材に静電気が帯電して塵やゴミ等が可変表示部材に付着することを防止することが出来る可変表示装置を備える遊技機を提供すること。【解決手段】複数の表示情報が配置された可変表示部材５１Ｃを可動させることで前記表示情報が可変表示される可変表示装置５０は、前記可変表示部材５１Ｃを摺動案内するガイド部材３３２ａ’と、前記ガイド部材３３２ａ’が設けられる取付部材３１５と、を備え、前記可変表示部材に摺接する前記ガイド部材３３２ａ’の少なくとも一部及び前記取付部材３１５を導電部材により構成し、前記可変表示部材５１Ｃと前記取付部材３１５とを前記ガイド部材３３２ａ’を介して電気的に導通させるとともに、前記取付部材３１５を接地させる。【選択図】  図５
2004350794.tif 000002
【特許請求の範囲】
【請求項１】
所定の価値を用いて遊技を実行可能であり、該遊技の結果に基づいて所定の遊技価値を付与することが可能であるとともに、複数の表示情報が配置された可変表示部材を可動させることで前記表示情報が可変表示される可変表示装置を備える遊技機であって、
前記可変表示装置は、
前記可変表示部材を摺動案内するガイド部材と、
前記ガイド部材が設けられる取付部材と、を備え、
前記可変表示部材に摺接する前記ガイド部材の少なくとも一部及び前記取付部材を導電部材により構成し、前記可変表示部材と前記取付部材とを前記ガイド部材を介して電気的に導通させるとともに、前記取付部材を接地したことを特徴とする遊技機。
【請求項２】
前記可変表示装置を制御する制御手段が設けられた制御基板と、
前記可変表示装置の駆動制御に用いられる電気部品と前記制御基板との配線を中継する中継基板と、を備え、
前記取付部材を、前記中継基板に設けられているグランド線を介して接地した請求項１に記載の遊技機。
【請求項３】
前記可変表示部材は無端状のベルトで構成され、
前記ガイド部材は、前記取付部材に回転自在に配置された複数の回転体で構成されており、前記複数の回転体のうちの少なくとも１つを導電部材により構成した請求項１または２に記載の遊技機。
【請求項４】
前記複数の回転体のうち、前記ベルトを張設するための張設用回転体を導電部材により構成した請求項３に記載の遊技機。
【請求項５】
前記可変表示装置は、前記ベルトの回転位置を検出するための位置検出手段を備え、
前記位置検出手段は、前記ベルトに印された被検出部と、
前記被検出部を検出する検出センサと、
から構成されている請求項３または４に記載の遊技機。
【請求項６】
前記可変表示部材は、帯電防止部材により構成されている請求項１〜５のいずれかに記載の遊技機。
【発明の詳細な説明】
【０００１】
【発明の属する技術分野】
本発明は、所定の価値を用いて遊技を実行可能であり、該遊技の結果に基づいて所定の遊技価値を付与することが可能であるとともに、複数の表示情報が可変表示される可変表示装置を備える遊技機に関する。
【０００２】
【従来の技術】
従来、この種の遊技機に備えられる可変表示装置としては、可変表示装置を構成する取付ベースに、駆動モータにより回転する駆動プーリと従動プーリとがそれぞれ回転自在に設けられており、これら駆動プーリと従動プーリとに無端状のベルト部材（可変表示部材）が掛け渡され、駆動モータの駆動により駆動プーリを回転させることでベルト部材を移動させることで、該ベルト部材に配置された表示情報を可変表示させるようにしたものがある（例えば、特許文献１参照）。
【０００３】
また、遊技機外部の静電気発生源によって可変表示装置の周囲に静電気が発生し、可変表示装置内部の検出器等が誤作動するのを防ぐため、可変表示装置の可変表示部材を設ける取付基板を金属等の導体で構成させ、この取付基板を接地させることで、可変表示装置内部に静電気が流入することを防ぐようにしたものがある（例えば、特許文献２参照）。
【０００４】
さらに、可変表示部材に用いられているフィルムベルトに帯電する静電気を取り除くために、導電性の繊維からなるブラシをフィルムベルトに接触するように設け、このブラシをアースに接続したものがある（例えば、特許文献３参照）。
【０００５】
【特許文献１】
特開平９−２７６４９３号公報（第４−９頁、第２−８図）
【特許文献２】
特開平９−２８５６０４号公報（第５−６頁、第７図）
【特許文献３】
特開平３−２４７３７０号公報（第２頁、第２、５図）
【０００６】
【発明が解決しようとする課題】
しかしながら、上記特許文献１に記載の可変表示装置を備える遊技機にあっては、薄い合成樹脂製の無端状のベルト部材が、合成樹脂製の材質で形成された駆動プーリ及び従動プーリの外側に掛け渡されているため、駆動モータにより駆動プーリを回転させることでベルト部材を回動させると、ベルト部材が駆動プーリ及び従動プーリと摺接することにより発生する静電気がベルト部材に帯電するため、ベルト部材にゴミ等が付着しやすくなり、長期間の使用によりベルト部材に配置された表示情報の視認性が妨げられるという問題を有していた。
【０００７】
また、特許文献２にあっては、取付基板が接地されることで外部から可変表示装置内部に静電気が流入することを防ぐことが出来るが、静電気が可変表示装置内部で発生して可変表示部材に帯電したときに、可変表示部材から静電気を除去させることが出来ないので、帯電した静電気により可変表示部材にゴミ等が付着するという問題を有していた。
【０００８】
更に、特許文献３にあっては、ベルトに帯電する静電気を取り除くために、ベルトに接触する導電性の繊維からなるブラシを別途設ける必要があり、遊技機を製造するための部品点数と組立行程が増えるので、製造コストが嵩むばかりか、構造が複雑化するといった問題を有していた。また、ベルトとブラシとが摺接するため、長期の使用によりブラシが劣化してブラシとベルトとの接触状態が悪くなったり、ベルトが傷ついて表示情報の視認性が損なわれる恐れがあった。
【０００９】
本発明は、このような問題点に着目してなされたものであり、可変表示部材に静電気が帯電して塵やゴミ等が可変表示部材に付着することを防止することが出来る遊技機を提供することを目的とする。
【００１０】
【課題を解決するための手段】
上記課題を解決するために、本発明の遊技機は、所定の価値を用いて遊技を実行可能であり、該遊技の結果に基づいて所定の遊技価値を付与することが可能であるとともに、複数の表示情報が配置された可変表示部材を可動させることで前記表示情報が可変表示される可変表示装置を備える遊技機であって、
前記可変表示装置は、
前記可変表示部材を摺動案内するガイド部材と、
前記ガイド部材が設けられる取付部材と、を備え、
前記可変表示部材に摺接する前記ガイド部材の少なくとも一部及び前記取付部材を導電部材により構成し、前記可変表示部材と前記取付部材とを前記ガイド部材を介して電気的に導通させるとともに、前記取付部材を接地したことを特徴としている。
この特徴によれば、可変表示部材がガイド部材に摺動案内されることで発生する静電気を、ガイド部材を介して接地された取付部材に確実に逃がすことができるので、可変表示部材に帯電する静電気を逃がすための部材を別途設けること等なく可変表示部材の帯電が防止され、そのため塵やゴミ等が可変表示部材に付着しづらくなり、可変表示部材に配置された表示情報の視認性が妨げられることがなくなる。
なお、本発明における取付手段は、いわゆる大地に直接接地されていなくても、接地された所定の放電体等を介して間接的に大地に接地されていてもよいし、あるいは、直接または間接的に接地されていなくても、可変表示装置の電気部品に帯電する静電気を放電出来るようになっていれば、大地の代わりとなる何らかの基準点、例えば可変表示装置の電気部品にとっての遊技機の筐体や、これら遊技機が設置される遊技機設置島等における大地に接地されていない放電体に接続され、該放電体を介して自然放電等により放電するようになっているものも本発明に含まれる。
【００１１】
本発明の遊技機は、前記可変表示装置を制御する制御手段が設けられた制御基板と、
前記可変表示装置の駆動制御に用いられる電気部品と前記制御基板との配線を中継する中継基板と、を備え、
前記取付部材を、前記中継基板に設けられているグランド線を介して接地したことが好ましい。
このようにすれば、可変表示部材に帯電した静電気を、中継基板に設けられているグランド線を利用して逃がすことが出来るため、取付部材にアース線等を別途設けて直接接地する場合に比較して配線を簡素化することができるので、部品点数を省略できコストの低減化を図ることが出来る。
【００１２】
本発明の遊技機の前記可変表示部材は無端状のベルトで構成され、
前記ガイド部材は、前記取付部材に回転自在に配置された複数の回転体で構成されており、前記複数の回転体のうちの少なくとも１つを導電部材により構成したことが好ましい。
このようにすれば、ベルトの回動に応じて該ベルトを摺動案内する回転体が回転するため、ベルトと回転体との摺動によるベルトの帯電を極力抑制することが出来る。
【００１３】
本発明の遊技機の前記複数の回転体のうち、前記ベルトを張設するための張設用回転体を導電部材により構成したことが好ましい。
このようにすれば、ベルトが経年劣化しても、張設用回転体により回転体にベルトを確実に接触させることが出来るため、ベルトに帯電した静電気を確実に逃がすことが出来る。
【００１４】
本発明の遊技機における前記可変表示装置は、前記ベルトの回転位置を検出するための位置検出手段を備え、
前記位置検出手段は、前記ベルトに印された被検出部と、
前記被検出部を検出する検出センサと、
から構成されていることが好ましい。
このようにすれば、ベルトに被検出部があるものにおいて、塵やゴミ等がベルトに付着して被検出部以外を被検出部として検出してしまうような回転位置の誤検出を防止することが出来る。
【００１５】
本発明の遊技機の前記可変表示部材は、帯電防止部材により構成されていることが好ましい。
このようにすれば、塵やゴミ等が可変表示部材に付着する原因となる静電気の帯電を極力防止することが出来る。
【００１６】
【発明の実施の形態】
以下、本発明の実施の形態を図面に基づいて詳細に説明する。
【００１７】
本発明の実施例を図面を用いて説明すると、まず図１には、本発明が適用された遊技機の一例であるパチンコ球を用いて賭数を設定して遊技を行う遊技球を用いたスロットマシン１（以下スロットマシン１と略称する）、並びに該スロットマシン１に並設されて使用されるカードユニット８００の正面図が示されている。スロットマシン１は、図２、図３に示されるように遊技機設置島６００に設置された状態で使用され、前後面が開口する枠体４と、この枠体４の側端に回動自在に枢支された開閉扉としての前面扉２と、該前面扉２の側端に回動自在に枢支された取付板３８０及び機構板３８１と、から構成されており、前面扉２の後面に設けられた施錠装置（図示略）の鍵穴３ａに挿入した所定のキーを時計回り方向に回動操作することにより施錠が解除されて前面扉２を開放することができるようになっている。
【００１８】
前面扉２の前面上部には遊技効果ランプ部４１、入賞図柄説明パネル５がそれぞれ設けられており、入賞図柄説明パネル５の中央部には、ゲームに関連した演出等の遊技に関連した情報が表示される液晶表示部１５が設けられている。中央部には、各種表示部が配置された遊技パネル６が設けられており、この遊技パネル６の下方にはゲームに使用する遊技球としてのパチンコ球を載置可能な上皿７が突設されている。この上皿７の上面７ａ並びに前面７ｂには、各種操作ボタン３６ａ、３６ｂ、３７、４０Ｌ、４０Ｃ、４０Ｒ、３０２ａ、３０２ｂ並びにスタートレバー３８、度数表示部３０１等が設けられている。また、遊技パネル６の左右側並びに上皿７の左右部には遊技効果ランプ部４２〜４４がそれぞれ設けられている。
【００１９】
前面扉２の前面下部には上皿７からオーバーフローしたパチンコ球を貯留可能な下皿１１が突設されており、この下皿１１の前面には、該下皿１１に貯留されたパチンコ球を外部に排出するための返却レバー１６が設けられている。
【００２０】
前面扉の上部左右側には、内部に設けられる高音用のスピーカ（図示略）から出力される音を放音する放音部１２ａ、１２ｂがそれぞれ設けられているとともに、下部右側には、内部に設けられる低音用のスピーカ（図示略）から出力される音を放音する放音部１３が設けられており、これら放音部１２ａ、１２ｂ、１３からは、各スピーカから出力される演出効果を高めるための音声やメロディ等の効果音が放音されるようになっている。
【００２１】
遊技パネル６には、後述するように取付板３８０に設置されるベルト５１Ｌ、５１Ｃ、５１Ｒを透視可能な透視窓１４と、透視窓１４の左側に位置する１ＢＥＴ賭け表示部２１、２ＢＥＴ賭け表示部２２、２３、３ＢＥＴ賭け表示部２４、２５と、透視窓１４の右側に位置するゲームオーバー表示部２６、リプレイ表示部２７、ウェイト表示部２８、スタート表示部２９、ＢＥＴ指示表示部３０と、透視窓１４の下側に位置するクレジット表示部３１、ゲーム回数表示部３２、ペイアウト表示部３３と、がそれぞれ設けられている。
【００２２】
ゲームオーバー表示部２６は、予め定められた図柄の組み合わせが表示されることにより遊技者に付与される特別遊技状態であるビッグボーナス（ＢＢ）が終了することにより打ち止め状態となった場合、及び何らかのエラーが発生して遊技を進行させることができない状態となった場合に、その内部に内蔵されたゲームオーバーランプ（図示略）が点灯する。リプレイ表示部２７は、後述のリプレイ入賞が発生した場合に、その内部に内蔵されたリプレイランプ（図示略）が点灯する。スタート表示部２９は、賭数が設定されることによりスタート操作をすることが可能となった場合に、その内部に内蔵されたスタートランプ（図示略）が点灯し、有効なスタート操作が検出されることにより消灯する。ＢＥＴ指示表示部３０は、上皿７に載置されたパチンコ球またはクレジット表示部３１に表示されたクレジットを使用して賭数を設定可能な状態である場合に、その内部に内蔵されたＢＥＴ指示ランプ（図示略）が点滅し、最大の賭数が設定された場合、ゲームが開始された場合等に消灯する。
【００２３】
ウェイト表示部２８は、ウェイトタイム中にスタート操作が検出された場合に、その内部に内蔵されたウェイトランプ（図示略）が点灯し、ウェイトタイムが経過した後に消灯する。ウェイトタイムは、ゲームがあまりに速く進行しすぎてしまうことを規制するために設定されたゲーム進行規制期間であり、このウェイトタイム中にスタート操作が検出されると、ウェイトタイムが経過した後にベルトが始動するように設定されている。従って、十分な時間間隔を空けてゲームを進行する場合にはスタートレバー３８の操作時にゲームの進行が規制されることはないが、短時間でゲームを進行しようとする場合にはウェイトタイムによってゲームの進行が一時的に規制され、ウェイトタイムが経過するまでの間ベルトの始動待ち状態となる。
【００２４】
尚、このスロットマシン１では、前回のゲームでベルトの回転が開始した時点を基準として、例えば４．１秒のゲーム進行規制期間が設定されており、前回のゲームでベルトの回転が開始された時点から４．１秒が経過する前に、今回のスタート操作が検出された場合、ゲーム進行規制期間が経過した後にベルトの回転が開始される。
【００２５】
クレジット表示部３１は、内部に設けられたクレジット表示器（図示略）の該当するセグメントが点灯してクレジットが表示される表示部である。クレジットとは、遊技者所有の価値（有価価値）としてスロットマシン１内部の記憶部に記憶されているパチンコ球数に相当するＢＥＴ数（１ＢＥＴ（最小単位の賭数設定に必要なパチンコ球数）＝クレジット球数／５）であり、入賞の発生による賞球の付与に基づいてクレジットが加算されたり、賭数の設定や精算操作に基づいてクレジットが減算されることにより、クレジット表示部３１のクレジットも表示更新される。このスロットマシン１では、クレジットとして記憶可能な価値の上限値が最大で５０ＢＥＴ分（２５０球分）とされており、この上限値に達した場合で、かつ上限値を越えるクレジットの加算更新の要求が発生した場合にはその上限値を越える分のパチンコ球が上皿７に払い出される。
【００２６】
ゲーム回数表示部３２は、内部に設けられたゲーム回数表示器（図示略）の該当するセグメントを点灯することでビッグボーナス（ＢＢ）中のレギュラーボーナス（ＲＢ）入賞状況や、ＲＢ中の入賞回数等を表示する表示部である。特にＢＢが終了して打ち止め状態となった際には「ＥＮＤ」という文字を表示して、遊技者に打ち止め状態である旨を報知する。さらにゲーム回数表示部３２は、スロットマシン１に発生した各種の異常を表示して報知するエラー表示器としても機能し、異常が制御部により検出された場合、その異常種別を特定可能なエラーコードが「Ｅ−１」や「Ｅ−２」等の態様により表示される。
【００２７】
ペイアウト表示部３３は、内部に設けられたペイアウト表示器（図示略）の該当するセグメントが点灯することで、１ゲーム中に発生した入賞に基づいて遊技者に付与される賞球数に相当するＢＥＴ数（１ＢＥＴ＝賞球数／５）が表示される表示部である。ペイアウト表示部３３の表示は入賞に基づいて賞球が付与される毎に表示更新される。
【００２８】
上皿７の上面７ａの右側には、賭数設定手段としての１ＢＥＴボタン３６ａ、ＭＡＸＢＥＴボタン３６ｂがそれぞれ設けられているとともに、左側には精算ボタン３７が設けられている。
【００２９】
１ＢＥＴボタン３６ａは、クレジット、または上皿７に載置されているパチンコ球から最小単位の賭数である１ＢＥＴ分（５球分）をゲームに賭ける際に押圧するボタンであり、ＭＡＸＢＥＴボタン３６ｂは、１ゲームにおいて許容される賭数の最大数（本実施例では３ＢＥＴ分）をクレジット、または上皿７に載置されているパチンコ球の範囲内でゲームに賭ける際に押圧するボタンである。１ＢＥＴボタン３６ａの内部には１ＢＥＴボタンランプが、また、ＭＡＸＢＥＴボタン３６ｂの内部にはＭＡＸＢＥＴボタンランプがそれぞれ内蔵されており（図示略）、これらのＢＥＴボタンランプは、対応するＢＥＴボタンの操作が有効である場合に点灯し、無効である場合に消灯する。
【００３０】
精算ボタン３７は、クレジット並びに上皿７に載置されているパチンコ球の精算操作をする際に押圧するボタンであり、この精算ボタン３７の押圧操作に伴い、クレジット分のパチンコ球が上皿７に払い出されるとともに、これに伴いクレジット表示部３１に表示されているクレジット数が０になるまで減算更新されるようになっている。また、上皿７にパチンコ球が載置されている場合には、クレジット分のパチンコ球の払出が終了した後、これら上皿７に載置されているパチンコ球が一度後述の取込装置７００に取り込まれて下皿１１に排出されるようになっている。精算ボタン３７の内部には精算ボタンランプ（図示略）が内蔵されており、精算ボタンランプは、精算ボタン３７の押圧操作に伴う精算が可能な状態にある場合に点灯し、精算が不可能な状態の場合に消灯する。
【００３１】
上皿７の前面７ｂには、スタートレバー３８、ストップボタン４０Ｌ、４０Ｃ、４０Ｒ、度数表示部３０１、球貸ボタン３０２ａ、返却ボタン３０２ｂがそれぞれ設けられている。スタートレバー３８は、ゲームを開始する際に操作するレバーであり、賭数の設定終了後においてスタートレバー３８を操作することにより各ベルト５１Ｌ、５１Ｃ、５１Ｒの回転が開始される。
【００３２】
各ストップボタン４０Ｌ、４０Ｃ、４０Ｒは、ゲームが開始した後にベルト５１Ｌ、５１Ｃ、５１Ｒの回転を停止させる際に操作するボタンであり、ストップボタン４０Ｌ、４０Ｃ、４０Ｒの内部には操作有効ランプがそれぞれ内蔵されている（図示略）。これら操作有効ランプは、対応するストップボタン４０Ｌ、４０Ｃ、４０Ｒの操作が有効である場合に点灯し、操作が無効である場合に消灯する。また、ストップボタン４０Ｌ、４０Ｃ、４０Ｒが配列されたストップボタンユニット３９は、ビッグボーナス（ＢＢ）入賞やレギュラーボーナス（ＲＢ）入賞の内部当選フラグが設定されている場合に、その内部に内蔵されたボーナス告知ランプ（図示略）が点灯する。
【００３３】
度数表示部３０１は、内部に設けられた度数表示器（図示略）の該当するセグメントが点灯することで、並設されるカードユニット８００のカード挿入口８０４に挿入されたプリペイドカードから読み出された度数が表示される表示部である。球貸ボタン３０２ａは、度数表示部３０１に表示された度数、すなわちカードユニット８００に挿入されたプリペイドカードより読み出された遊技用有価価値としての度数を使用してパチンコ球の球貸を行う際に押圧するボタンであり、返却ボタン３０２ｂは、カードユニット８００に挿入中のプリペイドカードを返却する際に押圧操作されるボタンである。
【００３４】
次に、取付板３８０の前面下方位置には、前面扉２の上皿７に載置されたパチンコ球を取込口３０４を介して内部に取り込むための取込装置７００が設けられており、クレジットが残存しない状態（クレジット表示部３１の表示が０の状態）で１ＢＥＴボタン３６ａまたはＭＡＸＢＥＴボタン３６ｂが操作されることで、上皿７に載置されたパチンコ球から該当するＢＥＴ分のパチンコ球が、取込装置７００によりスロットマシン１の内部に取り込まれるようになっている。
【００３５】
賭数を設定するために取込装置７００により取り込まれたパチンコ球は、図３に示されるように、取付板３８０内部に形成された連通路３８２を流下して機構板３８１内に流入し、機構板３８１内部に設けられた取込球検出スイッチ（図示略）にて検出された後、スロットマシン１を設置する遊技機設置島６００における遊技機載置用の繕板６０１の内側に設けられたアウト球タンク６０２に排出され、計数器６０３により計数された後に回収樋６０４内に排出されるようになっている。
【００３６】
また、精算操作がなされることにより取込装置７００により取り込まれたパチンコ球は、連通路３８２を流下して機構板３８１内に流入し、機構板３８１内部に設けられた返却球検出スイッチ（図示略）にて検出された後、取付板３８０内に設けられた返却路３８３を流下して、下皿払出穴９から下皿１１に排出されて遊技者に返却されるようになっている。
【００３７】
取付板３８０の略中央部には、表示情報としての複数種の図柄、本実施例では「７」、「ＢＡＲ」、「スイカ」、「チェリー」、「ベル」、「プラム」からなる図柄が印刷された透光性を有する可変表示部材としての帯状のベルト５１Ｌ、５１Ｃ、５１Ｒ（図４参照）が回動自在に設けられたベルトユニット３１０Ｌ、３１０Ｃ、３１０Ｒを並設状態で収容する収容箱体３１１を設置するための設置用開口部３８５が形成されており、これらベルトユニット３１０Ｌ、３１０Ｃ、３１０Ｒにより可変表示装置５０（ベルト状可変表示装置）が構成されている。それぞれのベルト５１Ｌ、５１Ｃ、５１Ｒは、各々に対応して設けられたステッピングモータからなるベルトモータ５４Ｌ、５４Ｃ、５４Ｒによりそれぞれ独立して縦方向に回転（駆動）、停止するように構成されており、各ベルト５１Ｌ、５１Ｃ、５１Ｒが回転することにより、透視窓１４には前記各種図柄が連続的に変化しつつ表示されるようになっている。
【００３８】
横方向に並設されたベルト５１Ｌとベルト５１Ｃとの間、及びベルト５１Ｃとベルト５１Ｒとの間には、各ベルト間を閉塞するベルト間隠蔽部材５３が設けられており、各ベルト間から内部が見えないようになっている。透視窓１４のうち、ベルト間隠蔽部材５３によって視界が仕切られることによって分割される３つの領域、すなわち、各ベルトが視認できる３つの領域部分を、各ベルトに対応させて左可変表示部、中可変表示部、右可変表示部（領域）と呼ぶ。
【００３９】
透視窓１４の各可変表示部からは、各ベルトに描かれた複数の図柄のうち、連続する３つの図柄が上段、中段、下段の位置に表示されるとともに、上段の上方部分には間もなく上段の位置に現れる図柄の一部が、下段の下方部分には間もなく可変表示部の下に隠れて見えなくなる図柄の一部がそれぞれ表示される。
【００４０】
各ベルト５１Ｌ、５１Ｃ、５１Ｒを有するベルトユニット３１０Ｌ、３１０Ｃ、３１０Ｒ内には、各ベルトの基準位置を検出するための位置検出手段としてのベルトセンサ５６Ｌ、５６Ｃ、５６Ｒ（図６参照）が設けられている。このベルトセンサは、フォトセンサ等の光電センサで構成されており、正面視で略コ字形状をしたセンサがベルト５１Ｌ、５１Ｃ、５１Ｒの幅方向の一端部側を挟み込むように配置されている。ベルトセンサ５６Ｌ、５６Ｃ、５６Ｒにより所定の図柄の停止位置を導出できるようになっているとともに、無端状に掛け渡されたベルト５１Ｌ、５１Ｃ、５１Ｒの内面における特定の表示領域（上、中、下段の表示領域）を内側から個別に照射可能な複数のベルトランプ５５Ｌ、５５Ｃ、５５Ｒがそれぞれ上、中、下段に設けられており、これら各ベルトランプ５５Ｌ、５５Ｃ、５５Ｒは、通常時において透視窓１４に表示される各図柄を目立たせるように後方から点灯するバックライトとして機能するようになっている。尚、可変表示装置５０の詳細な説明は後述することとする。
【００４１】
また、前面扉２の後面側には、特に図示はしないが、遊技状態に対応する所定の遊技効果音等を出力する高音及び低音用のスピーカ（図示略）が前述した放音部１２ａ、１２ｂ、１３にそれぞれ臨むように固設されているとともに、各種表示部２１〜３０に対応するランプ、各種表示部３１〜３３に対応する表示器、液晶表示部１５に対応する液晶表示器等、種々の装置が配設されている。また、前面扉２と機構板３８１との間に形成された空間には、ベルト中継基板やベルトランプ中継基板、外部出力基板等の各種基板類が取付けられている（図示略）。
【００４２】
次に、機構板３８１には、パチンコ球の流路やパチンコ球の払出を行う払出装置（図示略）等が設けられているとともに、この機構板３８１の裏面には、後述するように主に遊技の進行を制御する遊技制御手段としての遊技制御部（図示略）や各種回路が設けられた遊技制御基板２００（図９参照）や、取込装置７００が実施するパチンコ球の取込制御や前記払出装置（図示略）が実施するパチンコ球の払出制御等を行う取込及び払出制御部（図示略）や、各種回路等が設けられた第２サブ制御手段としての取込及び払出制御基板（図示略）、遊技に関連する演出を制御する演出制御手段としての演出制御部（図示略）や各種回路等が設けられた演出制御基板（図示略）が収納された収納ケース等が固定されている。
【００４３】
尚、本実施例において適用した機構板３８１は、従来から製造されているパチンコ機の機構板とほぼ同一の構成とされているため、大幅な設計変更等を必要とせず、製造コストを軽減することができることから好ましい。
【００４４】
機構板３８１の上部位置には、図３に示されるように、遊技機設置島６００の上部に傾斜状に配設された供給樋６０７に取り付けられた補給装置６０５を介して補給されるパチンコ球を貯留する球貯留タンク６０６が設けられており、この球貯留タンク６０６に貯留されているパチンコ球は、内部に形成された図示しない流下通路を介して前述した払出装置（図示略）に向かって誘導されるようになっている。
【００４５】
この払出装置（図示略）により、入賞の発生等により遊技者に付与する賞球として払出されたパチンコ球は、賞球検出スイッチ（図示略）にて検出された後、取付板３８０内部に形成された払出路３８４を流下して、前面扉２に形成された連絡口１０から上皿７に払い出されるようになっている。また、遊技者による球貸ボタン３０２ａの操作に基づいて貸球として払出されたパチンコ球は貸球検出スイッチ（図示略）にて検出された後、取付板３８０内部に形成された払出路３８４を流下して、連絡口１０から上皿７に払い出されるようになっている。なお、上皿７からオーバーフローしたパチンコ球は、機構板３８１内部を流下した後、返却路３８３を通過して下皿払出穴９から下皿１１に返却されるようになっている。また、払出装置により、精算操作によるクレジット球として払出されたパチンコ球は、同じく返却路３８３を通過して下皿払出穴９から下皿１１に返却されるようになっている。
【００４６】
また、機構板３８１には、球貯留タンク６０６に貯留されたパチンコ球を遊技機設置島６００のアウト球タンク６０２に直接排出させるための球抜通路（図示略）等が内部に形成されているとともに、取付板３８０に形成される収容箱体３１１の設置用開口部３８５に対向する箇所には、設置用開口部３８５に組み付けられた収容箱体３１１の後端部が遊挿される開口部３８６が形成されている。
【００４７】
また、特に図示しないが枠体４内下部位置には、メイン電源をｏｎ／ｏｆｆするメインスイッチ部と、ビッグボーナス（ＢＢ）の終了時や遊技中にエラーが生じた場合等において再びゲームを続行可能な状態にリセットするための第２リセットボタンと、入賞確率を変更可能とする設定ボタンと、自動精算機能をｏｎ／ｏｆｆする自動精算選択スイッチ部と、自動打止め機能をｏｎ／ｏｆｆする打止め選択スイッチ部と、遊技場の管理者等が所持する特定のキーを挿入した状態で所定の操作を行うことで前記設定ボタンの操作を可能、不可とする設定キー挿入部と、が前面に設けられているとともに、電源基板（図示略）が内蔵された電源ユニット（図示略）等が配設されている。
【００４８】
本実施例では、予め定められた入賞確率の値を６つのパターンの設定値として記憶しており、これを上記設定ボタンを操作することにより任意に選択することで、入賞確率の異なる遊技を行うことが可能となる。
【００４９】
次に、カードユニット８００の前面には、図１に示されるように、動作ランプ８０１や方向指示ランプ８０２、カード受付中ランプ８０３、カード挿入口８０４が設けられている。動作ランプ８０１は、カードユニット８００が使用できる状態である旨を点灯により報知するランプであり、方向指示ランプ８０２はカードユニット８００が連結されているスロットマシン１の方向を点灯により報知するランプであり、カード受付中ランプ８０３は、カード挿入口８０４にプリペイドカードが受付中である旨を点灯により報知するランプである。
【００５０】
また、カード挿入口８０４は、パチンコ球の貸出の対価として使用される遊技用有価価値としての度数が記録されたプリペイドカードを挿入可能な挿入口であり、このカード挿入口８０４にプリペイドカードが挿入されることで、該挿入されたプリペイドカードが後述するカードリーダライタに取り込まれて記録情報が読み出されるようになっている。
【００５１】
カードユニット８００の内部には、前述のようにカード挿入口８０４に挿入されたプリペイドカードの記録情報の読み取り並びに書き換え等を行うカードリーダライタ（図示略）が、カード挿入口８０４に連設されて設けられているとともに、カードリーダライタの制御並びに前述した動作ランプ８０１や方向指示ランプ８０２、カード受付中ランプ８０３の点灯制御等を行う制御ユニット（図示略）等が設けられている。
【００５２】
次に、遊技者が遊技（ゲーム）を行うための操作や、この操作に伴う各種装置の作動状況を説明する。
【００５３】
ゲームを開始する場合は、対応するカードユニット８００のカード挿入口８０４にプリペイドカードを挿入する。これに基づき挿入されたプリペイドカードから読み出された度数が度数表示部３０１に表示される。
【００５４】
この状態で球貸ボタン３０２ａを操作するとプリペイドカードから読み出されて度数表示部３０１に表示されている度数のうち所定の貸出単位分（本実施例では１０度）が減算されて減算された度数に該当する球数（２５０球）のパチンコ球が上皿７に払い出される。
【００５５】
賭数の設定が可能な状態においては、ＢＥＴ指示ランプ（図示略）が点灯するようになっており、この状態において１ＢＥＴボタン３６ａ、ＭＡＸＢＥＴボタン３６ｂの操作が有効となる。
【００５６】
賭数を設定するにはＭＡＸＢＥＴボタン３６ｂ、または１ＢＥＴボタン３６ａを押圧すればよく、クレジット表示部３１に表示されているクレジットが０である場合に、ＭＡＸＢＥＴボタン３６ｂが押圧されると上皿７に載置されたパチンコ球から、本実施例で１ゲームにおいて許容される賭数の最大数に該当する３ＢＥＴ分の球数（本実施例では１５球）のパチンコ球が取り込まれて３ＢＥＴ分の賭数が設定され、また、１ＢＥＴボタン３６ａが押圧されると上皿７に載置されたパチンコ球から、１ＢＥＴ分の球数（本実施例では５球）のパチンコ球が取り込まれて１ＢＥＴ分の賭数が設定される。尚、上皿７に載置されたパチンコ球数が３ＢＥＴ分に満たない場合、設定可能な賭数の範囲はその球数の範囲内に限られる。また、取り込まれたパチンコ球のうち、単位数に満たないために端数となった遊技球は所定時間が経過した後、上皿７に払い出されて返却されるようになっている。
【００５７】
遊技者により１ＢＥＴボタン３６ａが操作されると賭数が１ＢＥＴに設定されるとともに、中段の横１列の入賞ラインＬ１が有効となり、この入賞ラインＬ１が有効となった旨を示す１ＢＥＴ賭けランプ（図示略）が点灯する。続けて１ＢＥＴボタン３６ａが２回押圧操作されると賭数が２ＢＥＴに設定され、上、中、下段の横３列の入賞ラインＬ１、Ｌ２、Ｌ２’が有効となり、これらの入賞ラインＬ１、Ｌ２、Ｌ２’が有効となった旨を示す１ＢＥＴ賭けランプ、２ＢＥＴ賭けランプ（図示略）が点灯する。続けて１ＢＥＴボタン３６ａが３回押圧操作されるか、あるいはＭＡＸＢＥＴボタン３６ｂが押圧されると賭数が３ＢＥＴに設定され、上、中、下段の横３列の入賞ラインＬ１、Ｌ２、Ｌ２’及び斜め対角線上２列の入賞ラインＬ３、Ｌ３’が有効となり、これらの入賞ラインＬ１、Ｌ２、Ｌ２’、Ｌ３、Ｌ３’が有効となった旨を示す１ＢＥＴ賭けランプ、２ＢＥＴ賭けランプ、３ＢＥＴ賭けランプ（図示略）が点灯する。尚、賭数が最大数である３ＢＥＴに設定された場合には、それを越える賭数を設定することはできないためＢＥＴ指示ランプ（図示略）は消灯する。
【００５８】
そして上記のように少なくとも最小数である１ＢＥＴの賭数が設定された時点でスタートレバー３８の操作が有効に受付けられる状態、すなわち、ゲームが開始可能な状態となり、このスタートレバー３８の操作が有効に受付けられる状態になった旨を示すスタートランプ（図示略）が点灯される。
【００５９】
尚、設定される賭数に応じて有効化される有効ラインの本数、及び形状等は任意に変更可能であり、本実施例の形態に限定されるものではない。また、賭数に応じて有効化される有効ラインの本数も任意に設定変更可能であり、例えば１ＢＥＴの賭数設定により上記５本全ての入賞ラインＬ１、Ｌ２、Ｌ２’、Ｌ３、Ｌ３’が有効化されるようになっていてもよい。
【００６０】
賭数の設定が可能な状態において精算ボタン３７が操作されると、クレジット分のパチンコ球が精算されて上皿７に払い出された後、上皿７に載置されたパチンコ球が下皿１１へ排出されるようになっている。
【００６１】
前述のようにスタートランプ（図示略）が点灯している状態、すなわち賭数が１ＢＥＴ以上設定されており、ゲームを開始可能な状態でスタートレバー３８を押圧操作すれば、可変表示装置５０が作動して各ベルト５１Ｌ、５１Ｃ、５１Ｒが回転し、透視窓１４には複数種類の図柄が連続的に変化するように表示される。前述したようにベルト５１Ｌ、５１Ｃ、５１Ｒの回転が開始されてから所定時間が経過すれば各ストップボタン４０Ｌ、４０Ｃ、４０Ｒの操作が有効になり、これらストップボタン４０Ｌ、４０Ｃ、４０Ｒの操作が有効になった旨を示す操作有効ランプ（図示略）が点灯する。操作有効ランプ（図示略）が点灯している状態で遊技者がいずれかのストップボタン４０Ｌ、４０Ｃ、４０Ｒを押圧操作すれば、対応する操作有効ランプ（図示略）が消灯するとともに、対応するベルト５１Ｌ、５１Ｃ、５１Ｒの回転が停止され、透視窓１４からは対応する可変表示部の上、中、下段に図柄が表示される。
【００６２】
また、遊技者がストップボタン４０Ｌ、４０Ｃ、４０Ｒを押圧操作しない場合には、所定時間（例えば３０秒）が経過した時点で例えばベルト５１Ｌ、５１Ｃ、５１Ｒの優先順序で自動的に順次停止する。
【００６３】
そして３つのうちいずれか２つのベルトの回転が停止された時点で、賭数に応じて有効化されたいずれかの入賞ラインＬ１、Ｌ２、Ｌ２’、Ｌ３、Ｌ３’上に同種の図柄が揃って停止表示された場合にはリーチが成立する。
【００６４】
さらに全てのベルト５１Ｌ、５１Ｃ、５１Ｒが停止された時点で、賭数に応じて有効化されたいずれかの入賞ラインＬ１、Ｌ２、Ｌ２’、Ｌ３、Ｌ３’上に予め定められた図柄の組み合わせが表示された場合は入賞となり、各種遊技効果ランプ部４１〜４４の内部に内蔵された遊技効果ランプ（図示略）や入賞ラインＬ１、Ｌ２、Ｌ２’、Ｌ３、Ｌ３’に対応するベルトランプ５５Ｌ、５５Ｃ、５５Ｒ等が点灯するとともに、スピーカ（図示略）から効果音等が出力されること等による演出が実行される。そして、入賞内容に対応して予め定められた賞球が遊技者に対して付与され、賞球数に応じてクレジットが加算され、クレジット表示部３１も加算更新される。また、クレジットが上限値に達した場合には、賞球が直接上皿７へ払い出されるようになっている。また、これら付与された賞球数に相当するＢＥＴ数がペイアウト表示部３３に表示される。
【００６５】
また、特に予め定められた特別図柄の組み合わせが表示されて大当たり入賞した場合等にあっては、賞球が遊技者に対して付与されるとともに、通常遊技状態とは異なるとともに、遊技者にとって有利な、すなわち大量の賞球を獲得できる特別遊技状態が発生し、ビッグボーナス（ＢＢ）やレギュラーボーナス（ＲＢ）が遊技者に対して遊技価値として付与されるようになっている。
【００６６】
尚、このように入賞することにより遊技者に対して付与される「遊技価値」は、賞球等の有価価値に限らず、上記のように大当たり入賞した場合等において遊技者に対して付与されるビッグボーナス（ＢＢ）やレギュラーボーナス（ＲＢ）等、遊技に関連する特典全てを含む。
【００６７】
次に、図５〜図１２に基づいて、可変表示装置５０の詳細な構造を説明する。
【００６８】
図５に示されるように、本実施例における可変表示装置５０は、各ベルト５１Ｌ、５１Ｃ、５１Ｒ、及びこれらベルト５１Ｌ、５１Ｃ、５１Ｒそれぞれを回転させるための各種装置等が内蔵されたベルトユニット３１０Ｌ、３１０Ｃ、３１０Ｒにより主に構成されており、これら各ベルトユニット３１０Ｌ、３１０Ｃ、３１０Ｒは、前面が開口する収容箱体３１１内に一体的に組み付けられた状態で前述した取付板３８０の設置用開口部３８５に前方から組み付けられている（図２、図３参照）。
【００６９】
なお、本実施例におけるベルト状可変表示部材としてのベルト５１Ｌ、５１Ｃ、５１Ｒは、後述するように、ポリエチレンテレフタレート樹脂材からなる透明な基材の内面（裏面）に、導電性を有する素材が含有された塗料が蒸着されており、導電性を有している。
【００７０】
ここで各ベルトユニット３１０Ｌ、３１０Ｃ、３１０Ｒの構造を説明する。なお、各ベルトユニット３１０Ｌ、３１０Ｃ、３１０Ｒは、ベルト５１Ｌ、５１Ｃ、５１Ｒそれぞれに配置される図柄が異なるだけでそれぞれほぼ同一の構成とされているため、以下、各ベルトユニット３１０Ｃを取り上げてその構造を説明することで、他の各ベルトユニット３１０Ｌ、３１０Ｒの構造の説明は省略することとする。
【００７１】
ベルトユニット３１０Ｃは、図５〜図８に示されるように、金属製のアルミニウムからなる上板３１２、底板３１３、背面板３１４、及び左右のベルト取付板３１５、３１６とからなる前面が開口する縦長の箱体と、該箱体内部に設けられる後述する各種装置や各部位により主に構成されている。上板３１２、底板３１３、背面板３１４及び図５中向かって右側のベルト取付板３１５は、それぞれ一体的に構成されているとともに、図５中向かって左側のベルト取付板３１６は、右側のベルト取付板３１５の内面から内向きに連設される複数の金属製の連結棒３７０（図８参照）にネジ（図示略）を介して着脱自在に取り付けられている。この左側のベルト取付板３１６が着脱自在であることにより、後述する駆動プーリ３３１や照明装置等の取付け、取り外しやメンテナンス等が容易に行えるようになっている。
【００７２】
また、右側のベルト取付板３１５の前端縁には前述したベルト間隠蔽部材５３が取り付けられており、ベルト５１Ｃの右端縁部前方及び右側に配設されるベルトユニット３１０Ｒとの間と、そのベルトユニット３１０Ｒのベルト５１Ｒの左端縁部前方が隠蔽されるようになっている。なお、このベルト間隠蔽部材５３は左側に配設されるベルトユニット３１０Ｌの左側のベルト取付板３１６の前端縁部にも取り付けられている。
【００７３】
更に、右側のベルト取付板３１５の外側面後方下部位置には、スロットマシン１の遊技の進行を制御する遊技制御基板２００と、ベルトユニット３１０Ｃの駆動制御に用いられる電気部品（ベルトランプ５５Ｃ、ベルトモータ５６Ｃ、ベルトセンサ５４Ｃ）との配線を中継するベルト中継基板３６４Ｃが設けられている。このベルト中継基板３６４Ｃには、ベルトユニット３１０Ｃ内に設けられるベルトランプ５５Ｃとベルトモータ５６Ｃから延設される配線３６５Ｃ、３６６Ｃが接続されているとともに、ベルト中継基板３６４Ｃにおけるベルト取付板３１５との対向面所定箇所にはベルトセンサ５４Ｃが内向きに突設されている。
【００７４】
図９から図１１を用いてベルト中継基板３６４Ｃについて詳述すると、図９は、スロットマシン１の構成を示すブロック図であり、図１０は、ベルト中継基板３６４Ｃの構成を示す回路図であり、図１１は、（ａ）は、ベルト中継基板３６４Ｃの断面図であり、（ｂ）は、ベルト中継基板３６４Ｃの側面図である。
【００７５】
図９に示されるように、ベルト中継基板３６４Ｃは、遊技制御基板２００の前記遊技制御部（図示略）にて制御されるベルトモータ５４Ｃ、ベルトセンサ５６Ｃを遊技制御基板２００に接続するための配線、すなわち、遊技制御基板２００の前記遊技制御部から送られてくる信号を中継するためのものであり、ベルトモータ５４Ｃ、ベルトセンサ５６Ｃと遊技制御基板２００との間に設けられる。また、遊技制御基板２００には、図示しない電源ユニット内に設けられる電源基板２０２が接続されており、該電源基板２０２を介して電気が供給されている。
【００７６】
なお、本実施例においては、ベルトランプ５５Ｃは前記遊技制御基板２００に接続される前記演出制御基板（図示略）の演出制御部に制御されているため、図９においては図示を省略しているが、その配線は前記ベルト中継基板３６４Ｃに接続され、該ベルト中継基板３６４Ｃを介して前記演出制御基板に接続されている。
【００７７】
図１０に示されるように、ベルト中継基板３６４Ｃには、遊技制御基板２００と接続されるモータ駆動信号線１〜４及びモータ駆動用の電源線（＋２４Ｖ）、モータセンサの検出信号線、モータセンサ駆動用の電源線（＋８Ｖ）、グランド線ＧＮＤが各々接続されており、これら信号線、電源線は、ベルト中継基板３６４Ｃを介してベルトモータ５４Ｃ及びベルトセンサ５６Ｃに接続される。また、ベルト取付板３１５に接続され、ベルト中継基板３６４Ｃ上のグランド線ＧＮＤに電気的に接続されており、このグランド線ＧＮＤ及び図９に示す電源基板２０２に設けられたアース線Ｅを介して接地されている。
【００７８】
また、図１１（ａ）に示すように、ベルト中継基板３６４Ｃは、その四隅に形成された取付孔３６４ａを介して挿通された金属製の取付ネジ３６８を、ベルト取付板３１５Ｃの外面から外向きに突設された金属製の４個の取付ボス３７１に螺入して止着することによりベルト取付板３１５に取付られている。さらに図１１（ｂ）に示すように、ベルト中継基板３６４Ｃの外面には、遊技制御基板２００と接続するための配線を接続するためのコネクタ３７２が設けられているとともに、該コネクタ３７２に設けられる前記グランド線ＧＮＤと前記取付孔３６４ａとの間には配線パターン３６９が形成されている。
【００７９】
よって、取付ボス３７１にベルト中継基板３６４Ｃを取付けることで、取付ネジ３６８の頭部下面が前記配線パターン３６９に当接するため、前記ベルト取付板３１５は、金属製の取付ボス３７１、取付ネジ３６８、配線パターン３６９を介してコネクタ３７２のグランド線ＧＮＤに導通することになる。
【００８０】
図５、図６に戻って、上板３１２の前端部上面の所定箇所には、取付片３１９が上向きに形成されているとともに、底板３１３の前方寄りの下面の所定箇所には取付片３２２が下向きに形成されている。これら取付片３１９、３２２は、収容箱体３１１への収容時において、収容箱体３１１の上面板及び下面板の前端部にそれぞれ形成された前端片３２３、３２４の前面に当接するようになっており、当接した状態において、前端片３２３、３２４の前面における各ベルトユニット３１０Ｌ、３１０Ｃ、３１０Ｒの収容位置に対応して設けられた回転爪３１７により、収容箱体３１１から逸脱不能に保持されるようになっている。
【００８１】
回転爪３１７は、前端片３２３、３２４の前面に設けられた軸部材３１８（図６参照）を中心に、取付片３１９、３２２を保持する保持位置と、収容箱体３１１から取出し可能とする保持解除位置との間で回動自在に軸着されているため、ベルトユニット３１０Ｌ、３１０Ｃ、３１０Ｒの組み付け及び取り出し作業を、工具等を用いることなく容易に行うことが出来る。
【００８２】
なお、ベルトユニット３１０Ｌ、３１０Ｃ、３１０Ｒを収容箱体３１１に保持する保持手段は、上記回転爪３１７に限定されるものではなく、例えば取付けネジ等種々に変形可能であるが、特に作業性を考慮すれば、保持及び保持解除を工具等を用いることなく手作業で行えるもの、例えば蝶ナットやリベット等を用いることも可能である。
【００８３】
上板３１２の後部側には、図５に示されるように、ユニット内部の熱を外部に放出するための放熱用スリット３２９が複数形成されているとともに、収容箱体３１１の上面後部側にも、複数の放熱用スリット３３０がこれら各放熱用スリット３２９に対応する箇所に形成されている。
【００８４】
ベルトユニット３１０Ｃ内には、図６に示されるベルト５１Ｃを回転させるための駆動回転体としての駆動プーリ３３１と、従動回転体としての複数の従動プーリ３３２ａ〜３３２ｄ、３３２ａ’〜３３２ｄ’、及び３３３ａ〜３３３ｆ、３３３ａ’〜３３３ｆ’と、ベルトランプ５５Ｃを備える照明装置としての照明ユニット３６２と、ベルトセンサ５６Ｃと、が主に設けられている。
【００８５】
各部位を詳しく説明すると、まず駆動プーリ３３１は、図８に示されるように、ベルト５１Ｃをガイドするガイド面を形成する環状枠３３８と、駆動手段としてのベルトモータ５４Ｃの駆動軸３４４が挿通する挿通穴３４５が略中央に形成された取付板３４２と、環状枠３３８と取付板３４２とを連結する複数本のリブ３４３と、からなる２つの駆動プーリ３３１ａ、３３１ｂとにより構成され、互いの取付板３４２同士は付き合わされて一体化されている。駆動プーリ３３１ａ、３３１ｂはポリアセタール樹脂材により形成され、環状枠３３８の外周面には、ベルト５１Ｃに複数形成された係止孔３３９（図４参照）に嵌合する外向きに突出する係止片３４１が、円周方向に向かって所定間隔おきに複数形成されている。
【００８６】
取付板３４２には、ベルトモータ５４Ｃの駆動軸３４４に固着される円盤状の軸受け３４６から突設される位置決めピン３４７が挿通される挿通孔３４８が形成されており、該挿通孔３４８内に位置決めピン３４７を挿通させて位置決めした状態で、図８中左側から固定ネジ３４９を２つの取付板３４２それぞれに形成された挿通孔（図示略）を挿通して軸受け３４６に螺入することで、駆動プーリ３３１ａ、３３１ｂを軸受け３４６に固定出来るようになっている。
【００８７】
軸受け３４６は金属材により構成されており、ベルトモータ５４Ｃにて発生した熱がこの軸受け３４６を介して放出されるようになっているため、樹脂製の駆動プーリ３３１側への熱の伝達が極力防止され、駆動プーリ３３１の変形等が効果的に防止されるようになっている。軸受け３４６の裏面側には環状のフランジ部３５０が周縁に沿って形成されており、ベルトモータ５４Ｃにネジ固定された取付片３５１の所定箇所に取り付けられたフォトセンサであるモータセンサ５７Ｃのコ字状の検出部が、フランジ部３５０を挟み込むように設けられている。フランジ部３５０における所定箇所には切欠部３５０ａが形成されており、この切欠部３５０ａをモータセンサ５７Ｃが検出することにより、駆動軸３４４の駆動状況が検出されるようになっている。なお、このようなフランジ部３５０を形成することなく、上記切欠部３５０ａに該当する箇所に回転位置検出用の凸部を設けるようにしてもよい。
【００８８】
円盤状の取付板３４２の外径は、ベルト５１Ｃの外面をガイドする環状枠３３８の内径よりも小径になっているとともに、リブ３４３は小径の取付板３４２に向かって傾斜状に設けられている。これにより、駆動プーリ３３１ａ、３３１ｂのうちの環状枠３３８の外周面のみが、掛け渡されるベルト５１Ｃの外面における左右端縁部に当接するため、ベルト５１Ｃの外面が幅方向にわたって駆動プーリ３３１ａ、３３１ｂにガイドされてベルト５１Ｃの外面が傷つくこと等がないので、配置された図柄（表示情報）が傷により見えにくくなったりすることがない。
【００８９】
ベルトモータ５４Ｃは、その台座３５２とベルト取付板３１５との間に、金属材からなる放熱板３５３を挟み込んだ状態で、台座３５２側から固定ネジ３５４を挿通してベルト取付板３１５外方に突出された固定ネジ３５４の端部にナット３５５を螺入して締め付けることによりベルト取付板３１５の内面に取付けられており、ベルトモータ５４Ｃにて発生した熱がこの放熱板３５３を介して放出され、ベルトユニット３１０Ｃの一部を構成するベルト取付板３１５側への熱の伝達が極力なくなるような構造となっている。このように、ベルトモータ５４Ｃにて発生した熱は放熱板３５３を介して効果的に放出されるので、ベルト取付板３１５が熱膨張したり、ベルトモータ５４Ｃが熱だれ等を起こして回転に支障をきたすことが極力防止される。なお、このような放熱板３５３をベルト取付板３１５の外側に設けるようにしてもよい。
【００９０】
従動プーリ３３２ａ〜３３２ｄ、及び３３３ａ〜３３３ｆは、左側のベルト取付板３１６の内面にそれぞれ回転自在に取り付けられており、従動プーリ３３２ａ’〜３３２ｄ’、３３３ａ’〜３３３ｆ’は、右側のベルト取付板３１５の内面にそれぞれ回転自在に取り付けられている。詳しくは各従動プーリ３３２ａ〜３３２ｄ、３３２ｂ’〜３３２ｄ’、３３３ａ〜３３３ｆ、３３３ａ’〜３３３ｆ’は、それぞれポリアセタール樹脂材により成形されている。また、複数配置された従動プーリ３３２ａ〜３３３ｆ’のうち、右側のベルト取付板３１５に設けられている１つの従動プーリ３３２ａ’は、導電性を有するアルミニウムで構成されている。
【００９１】
具体的には、図７に示されるように、従動プーリ３３２ａ〜３３２ｄは、左側のベルト取付板３１６内面から内向きに延びる金属製の水平軸３５６に、転がり軸受けとしての金属製のボールベアリングＢを介して縦方向に回動自在に設けられているとともに、従動プーリ３３２ａ’〜３３２ｄ’は、右側のベルト取付板３１５内面から内向きに延びる金属製の水平軸３５６’に、転がり軸受けとしての金属製のボールベアリングＢを介して縦方向に回動自在に設けられている（従動プーリ３３２ｃ、３３２ｃ’、３３２ｄ、３３２ｄ’は図６参照）。
【００９２】
従動プーリ３３３ａ〜３３３ｄは、左側のベルト取付板３１６内面に取付ネジ３３４を介して取り付けられる取付板３３５から内向きに延びるように設けられた水平軸３３６に、転がり軸受けとしてのボールベアリングＢを介して縦方向に回動自在に設けられているとともに、従動プーリ３３３ａ’〜３３３ｄ’は、右側のベルト取付板３１５の内面に取付ネジ３３４’を介して取り付けられる取付板３３５’から内向きに延びるように設けられた水平軸３３６’に、転がり軸受けとしてのボールベアリングＢを介して縦方向に回動自在に設けられている。
【００９３】
なお、本実施例における各従動プーリ３３２ａ〜３３２ｄ、３３２ａ’〜３３２ｄ’、３３３ａ〜３３２ｆ、３３３ａ’〜３３３ｆ’及び駆動プーリ３３１は、遊技者によるスタート操作やストップボタン操作に応じて回転、停止が繰り返されるベルト５１Ｃと接触していることから、ベルト５１Ｃの回転、停止時において摩擦抵抗が生じて静電気が発生することがある。仮に静電気によりベルト５１Ｃが帯電することになると、埃や塵及びゴミ等が付着しやすく、長期間の使用によりベルト５１Ｃに配置された表示情報（図柄等）の視認性が妨げられる場合があるが、本発明のスロットマシン１においては、ベルト５１Ｃが掛け渡される従動プーリ３３２ａ’及び水平軸３５６’やボールベアリングＢが導電性を有するアルミニウム等の導電部材で構成されていることにより、ベルト５１Ｃに帯電する静電気を、従動プーリ３３２ａ’、水平軸３５６’、ボールベアリングＢを介してベルト取付板３１５へ逃がし、さらにベルト取付板３１５から前記ベルト中継基板３６４Ｃのグランド線ＧＮＤを利用して逃がすことが出来るようになっている。
【００９４】
また、ベルト５１Ｃが張設された場合において負荷がかかることから、自己潤滑性、耐疲労性に富むポリアセタール樹脂材により構成されているが、材質は上記ポリアセタール樹脂に限定されるものではない。また、係止部が嵌合する際の抵抗を極力なくすため、本実施例では係止部のない構造としているが、係止部が設けられていてもよい。また、摩擦抵抗を効果的に低減するために転がり軸受けであるボールベアリングを使用しているが、回転自在に設けられていれば、滑り軸受けを適用してもよいし、あるいは特にベアリングを用いなくてもよい。
【００９５】
図７に示されるように、これら各左右側の従動プーリ３３２ａ〜３３２ｄ、３３２ａ’〜３３２ｄ’、３３３ａ〜３３２ｆ、３３３ａ’〜３３３ｆ’の水平軸３５６、３５６’及び水平軸３３６、３３６’は、左右に対向するそれぞれの軸心が水平方向を向く同一直線上に位置するようにベルト取付板３１５、３１６に別々に設けられているため、互いに対向する左右一対の従動プーリ３３２ａ〜３３２ｄと従動プーリ３３２ａ’〜３３２ｄ’、及び従動プーリ３３３ａ〜３３２ｆと従動プーリ３３３ａ’〜３３３ｆ’により、ベルト５１Ｃの内面における幅方向両端縁部が回転支持されるようになっている。
【００９６】
また、従動プーリ３３２ａ〜３３２ｄの外周面における左側のベルト取付板３１６側端部と、従動プーリ３３２ａ’〜３３２ｄ’の外周面における右側のベルト取付板３１５側端部には、外方に向かって拡径する環状のフランジ部Ｆがそれぞれ形成されているため、ベルト５１Ｃ回転時における幅方向の位置ずれ（ベルト５１Ｃの蛇行）が防止されるようになっている。なお、このような位置ずれを防止するフランジ部Ｆを形成する箇所は特に限定されるものではなく、全ての従動プーリに形成してもよく、フランジ部Ｆの形成箇所や数量等は任意である。
【００９７】
また、水平軸３５６、３５６’のうちのアルミニウムで構成されている従動プーリ３２２ａ、３２２ａ’は、その水平軸３５６、３５６’が図５に示す長孔形状の孔部３６７’（水平軸３５６の長孔は図示略）に沿って内方に向かって移動自在に設けられており、ベルト５１Ｃの張り具合を調節したり、張設したベルト５１Ｃを緩めることが出来るテンションプーリ（張設用回転体）であるため、ベルト５１Ｃの取付け、取り外しを容易に行うことが出来る。
【００９８】
これら従動プーリ３３２ａ〜３３２ｄ、３３２ａ’〜３３２ｄ’、３３３ａ〜３３２ｆ、３３３ａ’〜３３３ｆ’及び駆動プーリ３３１は、左右のベルト取付板３１５、３１６それぞれ所定箇所に配置されている。詳しくは図６に示されるように、ベルト取付板３１５、３１６の上部前方には従動プーリ３３２ａ、３３２ａ’が配置され、その後方には従動プーリ３３２ｄ、３３２ｄ’がそれぞれ配置されているとともに、下部前方には従動プーリ３３２ｂ、３３２ｂ’が、その後方には従動プーリ３３２ｃ、３３２ｃ’がそれぞれ配置されている。従動プーリ３３２ａ、３３２ａ’は、従動プーリ３３２ｂ、３３２ｂ’よりもやや後方に配置されているとともに、上部前方の従動プーリ３３２ａ、３３２ａ’と下部前方の従動プーリ３３２ｂ、３３２ｂ’間には、複数の従動プーリ３３３ａ〜３３３ｆ、３３３ａ’〜３３３ｆ’が配置されている。
【００９９】
従動プーリ３３３ａ〜３３３ｆ、３３３ａ’〜３３３ｆ’は、下方に位置する従動プーリがその上方に位置する従動プーリよりも前方、すなわち透視窓１４側（図６中左側）に位置するように、かつ、掛け渡されるベルト５１Ｃが、上部後方から下部前方に向かうに従い側面視で略円弧形状をなすように、その前方に設けられる遊技パネル６の透視窓１４に対応する箇所に配置されている。
【０１００】
このように、上部の従動プーリ３３２ａ、３３２ａ’と下部の従動プーリ３３２ｂ、３３２ｂ’間には、少なくとも遊技者が透視窓１４を通してベルト５１Ｃに配置された図柄を視認可能な視認領域、すなわち、透視窓１４の対向位置に掛け渡されるベルト５１Ｃが、側面視で略円弧形状をなすように、かつ、上方から下方に向かうにしたがって前側に傾斜するように従動プーリ３３３ａ〜３３３ｆ、３３３ａ’〜３３３ｆ’が配置されているため、遊技者に対して、透視窓１４からベルト５１Ｃが立体的に回転しているように見せることが出来る。
【０１０１】
そしてベルト５１Ｃは、図６に示されるように、前記視認領域（透視窓１４）における上方の後部位置から下方の前部位置にかけて、側面視で略円弧形状をなすように張設されていることにより、前記視認領域が上方の後部位置に向けて広がることになり、駆動プーリ３３１を図６中で時計回りに回転させる場合、遊技者が視認領域における上方の後部位置から下方の前部位置に向けて移動してくる表示情報としての図柄を視認可能な期間が増加するため、有効表示領域Ｙの最上部における図柄の視認性が効果的に高まる。
【０１０２】
具体的には、透視窓１４からは図柄が上方から下方にかけて移動するように見えることになるが、透視窓１４の上方では、図柄が後方から前方に向かいながら次第に下方に移動していくように見えることになり、透視窓１４の上方から図柄が急に出現して通過してしまうことがないので、図柄の視認性が高まる。
【０１０３】
このようにベルト５１が張設された可変表示装置５０を、本実施例のスロットマシン１のように、特に可変表示する図柄を遊技者が停止操作手段（ストップボタン４０Ｌ、４０Ｃ、４０Ｒ）等を介して所定の入賞ライン上に停止するように操作するといったような図柄の停止操作技術を要する遊技機に適用する場合においては、遊技者は狙った図柄を容易に目押しすることが出来ることからより好ましいと言える。
【０１０４】
また、図６に示されるように遊技者の目線が透視窓１４の上方に位置する場合、ベルト５１Ｃが透視窓１４に沿って上方から下方に垂直に移動していくように張設される場合に比べて、透視窓１４の上方、すなわち、可変表示部における上・中段領域での図柄の視認性が著しく向上する。
【０１０５】
さらに、後方の従動プーリ３３２ｃ、３３２ｃ’は、透視窓１４の下端部と同高さ位置に配置される従動プーリ３３２ｂ、３３２ｂ’とほぼ同高さ位置に配置されており、ベルト５１Ｃは従動プーリ３３２ｂ、３３２ｂ’を中心として急角度で後方に折り返されているので、遊技者が図柄を視認する必要のない領域、すなわち、前記有効表示領域Ｙよりも下方までベルト５１Ｃを延設することなく、ベルトユニット３１０Ｃの上下幅を極力短くしてコンパクト化して可変表示装置５０をスペース効率よく設置することが出来る。
【０１０６】
また、このようにベルト５１Ｃにおける遊技者が図柄を視認出来る視認領域を複数の従動プーリ３３３ａ〜３３３ｆ、３３３ａ’〜３３３ｆ’によりガイドすることで、大径の従動プーリや側面視略円弧状のガイド片等を用いてガイドするように構成する場合に比べて、ベルト５１Ｃと従動プーリとの接触面積が小となり、ベルトモータ５４Ｃに大きな負荷がかかることがない。そしてこれら複数の従動プーリ３３３ａ〜３３３ｆ、３３３ａ’〜３３３ｆ’は、それぞれ取付板３３５、３３５’に一体化されてユニット化されているため、取付板３３５、３３５’をベルト取付３１５、３１６それぞれに取り付けるだけで、複数のプーリを一度に組み付けることが出来る。
【０１０７】
左右の従動プーリ３３３ａ〜３３３ｆ、３３３ａ’〜３３３ｆ’間には、図６、図７に示されるように、３つのベルトランプ５５Ｃを有する照明装置としての照明ユニット３６２が設けられている。照明ユニット３６２には、３つのベルトランプ５５Ｃを上、中、下段に別々に区画する３つの収容室３６３ａ、３６３ｂ、３６３ｃが形成されており、その前方に位置するベルト５１Ｃの内面における、図柄３つ分に相当する領域をそれぞれ別々に照射することが出来るようになっている。また、照明ユニット３２６は、特に図７に示されるように、その左右幅が、水平軸３５６、３３６と水平軸３５６’、３３６’との先端部間の長さよりも若干小寸に形成されている。
【０１０８】
このように、少なくとも透視窓１４に対応する領域、すなわち、ベルト５１Ｃにおける少なくとも遊技者が図柄を視認出来る視認領域に、左右一対の複数の従動プーリ３３３ａ〜３３３ｆ、３３３ａ’〜３３３ｆ’や、これらを回転支持する左右一対の水平軸３３６、３３６’がそれぞれ別体で構成され、かつ、左右のベルト取付３１５、３１６内面に別々に設けられているため、これら複数の従動プーリ３３３ａ〜３３３ｆ、３３３ａ’〜３３３ｆ’の配置位置間に照明ユニット３２６を設けても、ベルトランプ５５Ｃからの照射光が前記従動プーリや水平軸により遮られることがない。
【０１０９】
駆動プーリ３３１は、上部の従動プーリ３３２ｄ、３３２ｄ’と下部の従動プーリ３３２ｃ、３３２ｃ’との間に配置される。詳しくは、環状枠３３８の最後端部（図６中右端）が、上下の従動プーリ３３２ｄ、３３２ｄ’及び３３２ｃ、３３２ｃ’の最後端部よりも後方に突出しないように、駆動軸３４４が上下の従動プーリ３３２ｄ、３３２ｄ’及び３３２ｃ、３３２ｃ’の水平軸３５６、３５６’、３３６、３３６’よりも内側に位置するように、かつ、その上下端部と上下の従動プーリ３３２ｄ、３３２ｄ’及び３３２ｃ、３３２ｃ’の上下端部との間が所定寸法離間するように配置されている。
【０１１０】
なお、図４に示されるベルト５１Ｃは、ポリエチレンテレフタレート樹脂材からなる透明な基材からなり、その外面における図柄以外の領域にはベース色として白色に印刷されている。基材の内面には、図柄に対応する透光領域以外の領域には、例えば金属材やカーボン等の導電性を有する素材を含有させた黒色の非透光性の塗料が蒸着されており、ベルト５１Ｃの内面表層には、導電性を有する素材からなる導電層が形成されている。
【０１１１】
よって、ベルト５１Ｃの内面側に配置されたベルトランプ５５Ｃからの照射光が透光領域のみ透過して図柄のみが見えやすくなる。また、導電性を有する素材を含有させた黒色の非透光性の塗料がベルト５１Ｌの内面に蒸着されていることにより、ベルト５１Ｃとガイド部材との接触により摩擦が生じても、ベルト５１Ｃが帯電しにくくなるばかりか、ベルト５１Ｃの内面に導電層が形成されることで、内面に比べて外面には塵や埃等のゴミが付着しにくくなるため、ベルト５１Ｃに配置された図柄の視認性やベルト５１Ｃの外面の外観体裁が損なわれることがない。
【０１１２】
なお、本実施例におけるベルト状可変表示部材としてのベルト５１Ｌ、５１Ｃ、５１Ｒは、ポリエチレンテレフタレート樹脂材で構成されているが、例えば予め導電性素材が含有されている基材にてベルト５１Ｌ、５１Ｃ、５１Ｒを構成してもよい。上記ベルト５１Ｌ、５１Ｃ、５１Ｒは、導電性を有することにより帯電防止処理が施された帯電防止部材とされていたが、本発明はこれに限定されるものではなく、ベルト状可変表示部材を、帯電防止剤（例えば界面活性剤等）が練り込まれた樹脂材等、帯電しにくい素材にて構成することにより帯電防止処理が施された帯電防止部材とすることも可能である。ベルト５１Ｌ、５１Ｃ、５１Ｒを帯電防止部材で構成すれば、塵や埃やゴミ等がベルトに付着する原因となる静電気の帯電を極力防止することが出来る。
【０１１３】
さらに、上記各帯電防止処理は、ベルト状可変表示部材全体に施されているものに限定されるものではなく、例えばガイド部材と当接し得る部分等、部分的に施されているものも含まれる。
【０１１４】
また、ベルト５１Ｃは所定長さの帯状に形成され、その長手方向両端部の一部を互いに重合させて接着すること等により無端状に構成される。また、ベルト位置検出用の被検出部としての基準マークＭは、ベルト５１Ｃの表裏面側に印刷される黒色の非透光性塗料により構成されているので、塵やゴミ等がベルト５１Ｃに付着して基準マークＭ以外を被検出部として検出してしまうような回転位置の誤検出が防止されるようになっているとともに、ベルト５１Ｃにおける継ぎ目から回転方向に向けて一番近い図柄（本実施例においては図４における配列番号２１の「黒７」）の側方に設けられている。
【０１１５】
このようなベルト５１Ｃは、ベルトユニット３１０に設けられる駆動プーリ３３１と、従動プーリ３３２ａ〜３３２ｄ、３３２ａ’〜３３２ｄ’、３３３ａ〜３３３ｆ、３３３ａ’〜３３３ｆ’それぞれの周面に、図６に示されるように掛け渡される。
【０１１６】
詳しくは、無端状のベルト５１Ｃは、従動プーリ３３２ａ〜３３２ｄ、３３２ａ’〜３３２ｄ’、３３３ａ〜３３３ｆ、３３３ａ’〜３３３ｆ’の外側と、駆動プーリ３３１の内側とに掛け渡される。すなわち、ベルト５１Ｃにおける一部の外面の左右端縁部が、凹設用ガイド部材としての駆動プーリ３３１の環状枠３３８の外周面に当接するように掛け渡されている。
【０１１７】
このように、従動プーリ３３２ｄ、３３２ｄ’及び従動プーリ３３２ｃ、３３２ｃ’間に掛け渡されたベルト５１Ｃの外面の一部が、駆動プーリ３３１により内側に大きく凹むように張設されることにより、ベルト５１Ｃの回動領域が効果的に狭まり、装置の上下、左右幅が大幅にコンパクト化されるため、図３に示されるように、遊技機としてのスロットマシン１の内部に可変表示装置５０を効率よく設置することが出来る。なお、掛け渡されたベルト５１Ｃの後方箇所の外面を駆動プーリ３３１により内側に凹むように張設しており、ベルト５１Ｃにおける図柄の視認領域以外の箇所を凹ませるように張設されているため、図柄の視認性が損なわれることがない。
【０１１８】
また、このように内側に凹ませる凹設用ガイド部材が駆動プーリ３３１であることにより、駆動手段としてのベルトモータ５４Ｃをベルト状可変表示装置５０の内部に効率よく収容することが出来る。さらに、駆動プーリ３３１は、他の従動プーリ３３２ａ〜３３２ｄ、３３２ａ’〜３３２ｄ’、３３３ａ〜３３３ｆ、３３３ａ’〜３３３ｆ’の外径よりも大径としたことで、ベルト５１Ｃにベルトモータ５４Ｃの駆動力を効率よく伝達することが出来る。
【０１１９】
さらに、ベルト５１Ｃにおける駆動プーリ３３１と上方の従動プーリ３３２ｄ、３３２ｄ’との間に張設される部分と、駆動プーリ３３１と下方の従動プーリ３３２ｃ、３３２ｃ’との間に張設される部分とが、外側に向かって開放するように従動プーリ３３２ｄ、３３２ｄ’、３３２ｃ、３３２ｃ’と駆動プーリ３３１が配置されているため、係止片３４１を有する駆動プーリ３３１へのベルト５１Ｃの張設や掛け渡し作業を容易に行うことが出来る。
【０１２０】
また、ベルト５１Ｃを掛け渡した状態において、ベルト５１Ｃにおける駆動プーリ３３１の周面の一部に巻回された部分における幅方向左右側の複数の係止孔３３９内に、駆動プーリ３３１の係止片３４１がそれぞれ嵌合されることにより、駆動プーリ３３１の回転時におけるベルト５１Ｃの滑りが防止されるため、駆動プーリ３３１の回転力が効率よくベルト５１Ｃに伝達される。また、ベルト５１Ｃの内面における複数箇所の幅方向両端部が、左右一対の従動プーリ３３２ａ〜３３２ｄ、３３２ａ’〜３３２ｄ’、３３３ａ〜３３３ｆ、３３３ａ’〜３３３ｆ’それぞれに回転自在に支持される。
【０１２１】
このように駆動プーリ３３１及び従動プーリ３３２ａ〜３３２ｄ、３３２ａ’〜３３２ｄ’、３３３ａ〜３３３ｆ、３３３ａ’〜３３３ｆ’間に、所定の張力を与えた状態で掛け渡された無端状のベルト５１Ｃは、ベルトモータ５４Ｃが駆動して駆動プーリ３３１が回転することにより、図６中矢印で示される方向に移動して縦方向に回転する。
【０１２２】
本実施例では、駆動プーリ３３１が２回転することによりベルト５１Ｃが１回転するようになっており、ステッピングモータであるベルトモータ５４Ｃが、１６８ステップ×２でベルト５１Ｃが１回転することになるため、図示しない遊技制御部は、ベルト５１Ｃが実際に１回転したか否かはベルトセンサ５６Ｃによる基準マークＭの検出に基づいて判断するようになっている。
【０１２３】
また、前記遊技制御部は、同時にステッピングモータであるベルトモータ５４Ｃ自体が正常に駆動しているか否かを、ベルトセンサ５６Ｃとは別のモータセンサ５７Ｃによる軸受け３４６の切欠部３５０ａの検出に基づいて判断するようになっている。
【０１２４】
このように構成されるベルトユニット３１０Ｃにあっては、ベルト５１Ｃがガイド部材に掛け渡された状態において、各従動プーリ３３２ａ〜３３２ｄ、３３２ａ’〜３３２ｄ’、３３３ａ〜３３３ｆ、３３３ａ’〜３３３ｆ’及び駆動プーリ３３１に張設されたベルト５１Ｃに大きな負荷が加わることがないので、従動プーリ自体の破損が防止されるばかりか、複数組の従動プーリは、それぞれ左右一対の状態で、かつ、左右のベルト取付３１５、３１６に別々に取り付けられて、ベルト５１Ｃにおける所定箇所の幅方向両端部を別々に回転支持するため、従来のようにベルトの幅方向にわたってベルトを回転支持する場合よりも接触面積が小さくなるので、ベルト５１Ｃを回転させるためにベルトモータ５４Ｃにかかる負荷が効果的に軽減されるとともに、これら左右一対の従動プーリ間に設けられるベルトランプ５５Ｃからの照射光が従動プーリや水平軸により遮られることがないので、ベルト５１Ｃにおける照射領域近傍にも従動プーリを設けることが出来る。
【０１２５】
また、従動回転体としての従動プーリ３３２ａ〜３３２ｄ、３３２ａ’〜３３２ｄ’、３３３ａ〜３３３ｆ、３３３ａ’〜３３３ｆ’が左右のベルト取付板３１５、３１６に別々に設けられていることにより、これら従動プーリ３３３ａ〜３３３ｆ、３３３ａ’〜３３３ｆ’間に照明装置としてのベルトランプ５５Ｃを配置したり、ベルトランプ５５Ｃからの照射光を従動プーリや水平軸により遮断することなくこれら従動プーリ３３３ａ〜３３３ｆ、３３３ａ’〜３３３ｆ’間を通過させることが出来るので、照明装置や従動回転体の配置自由度が向上する。
【０１２６】
さらに、ベルト状可変表示装置５０においては、ベルト５１Ｃの外面の一部を内側に大きく凹ませるように張設する凹設用ガイド部材は、１つの駆動プーリ３３１に対応しているが、このような凹設用ガイド部材を複数箇所に配置して、ベルト５１Ｃの外面の複数箇所を内側に凹ませるように張設してもよく、このようにすれば、装置をよりコンパクト化することが出来る。
【０１２７】
また、以上説明してきたように構成される可変表示装置５０は、電源を入れ、また、ベルト５１Ｃの駆動、停止を繰り返すことにより、ベルトモータ５４Ｃやベルトランプ５５Ｃから熱が発生するので、スロットマシン１が長時間使用されることにより可変表示装置５０が加熱して温度が上昇し、ベルト取付板３１５、３１６やベルト５１Ｃが熱膨張するようになる。
【０１２８】
図１２は、可変表示装置５０（ベルトユニット３１０Ｃ）が熱膨張したときの状態を示す概念図であり、例えば上記のようにベルトユニット３１０Ｃの温度が上昇し、アルミニウムからなるベルト取付板３１５、３１６が熱膨張することにより、図の矢印に示すように、これらベルト取付板３１５、３１６に配置された駆動プーリ３３１及び従動プーリ３３２ａ〜３３２ｄ、３３２ａ’〜３３２ｄ’、３３３ａ〜３３３ｆ、３３３ａ’〜３３３ｆ’は外方に広がるように移動することになり、ベルト５１Ｃに過剰に張力が加わって回動に負荷がかかるようになる。
【０１２９】
しかしながら、本実施例における可変表示装置５０にあっては、前述したように、ベルト５１Ｃをガイドする駆動プーリ３３１及び従動プーリ３３２ａ〜３３２ｄ、３３２ａ’〜３３２ｄ’、３３３ａ〜３３３ｆ、３３３ａ’〜３３３ｆ’を有する左右のベルト取付板３１５、３１６はアルミニウムにて構成され、また、ベルト５１Ｃはポリエチレンテレフタレート樹脂材により構成されており、特にベルト５１Ｃを構成するポリエチレンテレフタレート樹脂材は、低熱膨張率化材料（例えばガラスフィラー等）を配合させること等により、アルミニウムの熱線膨張率に近づくように低熱膨張率化され、ベルト取付板３１５、３１６とベルト５１Ｃとの熱線膨張率がほぼ同一となるように構成されている。
【０１３０】
詳しくは、本実施例で用いられているベルト取付板３１５、３１６を形成するために用いられているアルミニウムの熱線膨張率は、約２４×１０−６／℃であり、ベルト５１Ｃを形成するために用いられているポリエチレンテレフタレート樹脂材（本実施例ではガラス繊維強化ＰＥＴを例とする）の熱線膨張率は、約２５×１０−６／℃である。
【０１３１】
そのため、例えば可変表示装置５０（ベルトユニット３１０Ｃ）が加熱されベルト５１Ｃが熱膨張した際において、左右のベルト取付板３１５、３１６もベルト５１Ｃの熱線膨張率とほぼ同じ割合で熱膨張することになるため、ベルト５１Ｃに過剰に張力が加わってベルト５１Ｃの回動に負荷がかかるのが防止される。また逆に、可変表示装置５０の温度が下がるときには、ベルト取付板３１５、３１６が収縮してベルト５１Ｃの張力が低下し、ベルト５１Ｃが撓むことがあるが、ベルト取付板３１５、３１６とベルト５１Ｃの熱線膨張率をほぼ同一とすることによりベルト５１Ｃの撓みを防止できるようになっている。
【０１３２】
以上説明してきたベルトユニット３１０Ｃ、及びこのベルトユニット３１０Ｃとほぼ同様に構成されるベルトユニット３１０Ｌ、３１０Ｒは、図５に示されるように、ユニット部材としての収容箱体３１１内に互いに横方向に並設させた状態で一体的に組み込まれ、前述したように前端片３２３、３２４の前面に回動自在に設けられた回転爪３１７を取付片３１９側に回動させれば、ベルトユニット３１０Ｌ、３１０Ｃ、３１０Ｒが逸脱不能に保持されることになる。
【０１３３】
また、ベルトユニット３１０Ｌ、３１０Ｃ、３１０Ｒが内部に組み込まれた収容箱体３１１は、特に図２に示されるように、前面扉２の後面から取付板３８０を開放した状態で、取付板３８０における透視窓１４に対応する箇所に形成された設置用開口部３８５内に前方から嵌合され、前端片３２３の後面が取付板３８０の前面に当接するまで後方に押し込むことにより取り付けられるようになっている。取付板３８０の前面における設置用開口部３８５の上下端縁部近傍には、前端片３２３、３２４を保持する回転爪３８７が設けられており、回転爪３８７は、軸部材３１８（図６参照）を中心に前端片３２３、３２４を保持する保持位置と、収容箱体３１１から取出し可能とする保持解除位置との間で回動自在に軸着されているため、収容箱体３１１の組み付け及び取り出し作業を、工具等を用いることなく容易に行うことが出来る。
【０１３４】
このように、可変表示装置５０を構成するベルトユニット３１０Ｌ、３１０Ｃ、３１０Ｒが収容される収容箱体３１１は、遊技機の本体所定箇所である枠体４に回動自在に枢着されるとともに、各種部位や装置を取り付け可能な取付板３８０に形成された設置用開口部３８５内に前方から嵌合することにより取り付けることが出来るため、前面扉２を開放するだけで、ベルトユニット３１０Ｌ、３１０Ｃ、３１０Ｒの組み付け及び取り外し作業を容易に行うことが出来る。よって、機種変更時等における交換作業を容易に行うことが出来るとともに、可変表示装置５０のみを交換することが出来るため、スロットマシン１の本体を構成する取付板３８０を複数の機種間で共通に繰り返し利用することが出来る。
【０１３５】
以上説明してきたように、本発明の実施例としてのスロットマシン１においては、ベルト５１Ｌ、５１Ｃ、５１Ｒが駆動プーリ３３１、従動プーリ３３２ａ〜３３２ｄ、３３２ａ’〜３３２ｄ’、３３３ａ〜３３３ｆ、３３３ａ’〜３３３ｆ’に摺動案内されることで発生する静電気を、導電性を有する金属製の従動プーリ３３２ａ’及び水平軸３５６’を介して、接地されたベルト取付板３１５に確実に逃がすことができるので、ベルト５１Ｃの帯電が防止され、そのため塵やゴミ等がベルト５１Ｌ、５１Ｃ、５１Ｒに付着しづらくなり、ベルト５１Ｌ、５１Ｃ、５１Ｒに配置された図柄の視認性が妨げられることがなくなる。
【０１３６】
特に、前記特許文献３に記載したように、ベルト５１Ｃに帯電する静電気を逃がすためのブラシ部材を別途設けることにより、遊技機を製造するための部品点数や組立行程が増えて製造コストが嵩んだり、構造を複雑化すること等なく、ベルト５１Ｃを回動自在に摺動案内させるためのガイド部材としてのプーリを利用して除電させることが出来る。
【０１３７】
また、ベルト５１Ｌ、５１Ｃ、５１Ｒに帯電した静電気を、ベルトユニット３１０Ｌ、３１０Ｃ、３１０Ｒの駆動制御に用いられるベルトセンサ５６Ｌ、５６Ｃ、５６Ｒやベルトモータ５４Ｌ、５４Ｃ、５４Ｒと、これらを電機部品を制御する遊技制御部が設けられた遊技制御基板２００と、を中継するために設けられるベルト中継基板３６４Ｌ、３６４Ｃ、３６３Ｒに設けられているグランド線ＧＮＤを利用して逃がすことが出来るため、ベルト取付板３１５にアース線等を別途設けて直接接地する場合に比較して配線を簡素化することができるので、部品点数を省略できコストの低減化を図ることが出来る。
【０１３８】
なお、本実施例においては、ベルトモータ５４Ｌ、５４Ｃ、５４Ｒやベルトセンサ５６Ｌ、５６Ｃ、５６Ｒ等の可変表示装置５０の電気部品と、遊技の制御を行う遊技制御部が設けられた遊技制御基板２００と、の配線を中継する取付板３１５に取付けられたベルト中継基板３６４Ｌ、３６４Ｃ、３６４Ｒに設けられているグランド線ＧＮＤを利用して、ベルト５１Ｌ、５１Ｃ、５１Ｒに帯電した静電気を逃がしていたが、本発明にあっては、可変表示装置５０を制御する制御基板であれば、遊技の制御を行う遊技制御基板２００以外の他の制御基板に設けられたグランド線を利用してもよい。
【０１３９】
また、本実施例におけるベルト取付板３１５は、遊技制御基板２００と、該遊技制御基板２００に接続され、アース線Ｅを介して接地されている電源基板２０２と、を介して間接的に接地されていたが、本発明における取付手段としてのベルト取付板３１５は、上記のように他の基板等を介して間接的に接地されていてもよいし、アース線等により大地に直接接地されていてもよい。
【０１４０】
また、直接または間接的に接地されていなくても、可変表示装置の電気部品に帯電する静電気を放電出来るようになっていれば、大地の代わりとなる何らかの基準点、例えば可変表示装置の電気部品にとってのスロットマシン１の筐体や、これらスロットマシン１が設置される遊技機設置島等における大地に接地されていない放電体（例えば筐体に設けられた金属製の枠板等）に接続され、該放電体を介して自然放電等により放電するようになっているものも本発明に含まれる。
【０１４１】
更に、ベルト５１Ｌ、５１Ｃ、５１Ｒを摺動案内する従動プーリ３３２ａ〜３３２ｄ、３３２ａ’〜３３２ｄ’、３３３ａ〜３３３ｆ、３３３ａ’〜３３３ｆ’が回転体であるプーリにて構成されていることで、ベルト５１Ｌ、５１Ｃ、５１Ｒの回動に応じて従動プーリ３３２ａ〜３３２ｄ、３３２ａ’〜３３２ｄ’、３３３ａ〜３３３ｆ、３３３ａ’〜３３３ｆ’が回転するため、ベルト５１Ｃと従動プーリ３３２ａ〜３３２ｄ、３３２ａ’〜３３２ｄ’、３３３ａ〜３３３ｆ、３３３ａ’〜３３３ｆ’との摺動によるベルト５１Ｌ、５１Ｃ、５１Ｒの帯電を極力抑制することが出来る。
【０１４２】
また、前記駆動プーリ３３１、従動プーリ３３２ａ〜３３２ｄ、３３２ａ’〜３３２ｄ’、３３３ａ〜３３３ｆ、３３３ａ’〜３３３ｆ’のうち、ベルト５１Ｃを張設するために、ベルト取付板３１５に対して移動自在に設けられているテンションプーリ（張設用回転体）である従動プーリ３２２ａ’をアルミニウムで構成し、この従動プーリ３２２ａ’からベルト５１Ｌ、５１Ｃ、５１Ｒに帯電した静電気をベルト取付板３１５に逃がすことで、ベルト５１Ｌ、５１Ｃ、５１Ｒが経年劣化しても、従動プーリ３２２ａ’をベルト５１Ｌ、５１Ｃ、５１Ｒに接触させて確実に除電することが出来る。
【０１４３】
なお、本実施例においては、テンションプーリである従動プーリ３２２ａ’をアルミニウムで構成し、この従動プーリ３２２ａ’からベルト５１Ｌ、５１Ｃ、５１Ｒに帯電した静電気をベルト取付板３１５に逃がすようにしていたが、本発明はこれに限定されるものではなく、言うまでもなく張設用のプーリ以外のプーリ及び水平軸やボールベアリングをアルミニウム等の導電性部材にて構成し、当該プーリ及び水平軸を介して可変表示部材の静電気をベルト取付板３１５に逃がすようにしてもよい。
【０１４４】
また、導電性部材とするプーリの配置位置等は任意であるが、例えばベルトとの摩擦が生じやすい駆動プーリ３３１の上部に配設される従動プーリ３３２ｄ’、すなわち、駆動プーリ３３１を通過したベルトを該駆動プーリ３３１の最も近傍位置において摺動案内する従動プーリを導電性部材とすれば、摩擦の発生しやすい箇所の近傍において除電することが出来る。
【０１４５】
また、本実施例においては一方のベルト取付板３１５に設けられた１つの従動プーリ３２２ａ’を導電性部材にて構成していたが、例えば該従動プーリ３２２ａ’に対向配置される他方の従動プーリ３２２ａも導電性部材にて構成すれば、ベルトの幅方向両側から除電出来ることになり、除電効果を効果的に高めることが出来る。さらに、複数個、あるいは全てのプーリを導電性部材にて構成してもよい。
【０１４６】
また、特に詳細な図示はしないが、例えば可変表示部からのベルトの視認に影響のない例えばベルトユニットの後方の従動プーリ３３２ｃ、３３２ｃ’または３３２ｄ、３３２ｄ’の替わりに、ベルトの幅方向を横切るように配設される一本のガイドローラにてガイド部材を構成することで、ベルトとの摺接面積がベルトの幅方向にわたって広がることになるため、除電効果を効果的に高めることが出来る。
【０１４７】
また、従動プーリ３２２ａ’、水平軸３５６’、ボールベアリングＢ及びベルト取付板３１５は、所定強度を有するとともに、軽量なアルミニウムにて構成されていたが、導電性を有していれば、アルミニウム以外の金属材もしくは樹脂材等の他の素材にて構成してもよい。
【０１４８】
また、従動プーリ３２２ａ’、水平軸３５６’、ボールベアリングＢ及びベルト取付板３１５は、それぞれの部材全体が導電性部材（アルミニウム）にて構成されていたが、本発明はこれに限定されるものではなく、例えばベルトに帯電した静電気が、従動プーリ３２２ａ’を介してベルト取付板３１５に逃がすことが出来るように構成されていれば、各部材全てが導電性部材にて構成されている必要はなく、例えば前記従動プーリ３２２ａ’、水平軸３５６’、ベルト取付板３１５それぞれの一部に、これら互いの部材間で電気的に導通する導電層を形成することにより、ベルトとベルト取付板とを電気的に導通させていてもよい。
【０１４９】
また、このようなベルト状可変表示装置５０は、前述したように１ゲームに対して遊技媒体として遊技球であるパチンコ球にて賭数を設定することによりゲームが開始可能となるとともに、表示状態を変化させることが可能な可変表示装置５０の表示結果が導出表示されることにより１ゲームが終了し、該可変表示装置５０の表示結果に応じて所定の入賞が発生可能なスロットマシン１以外の種々の遊技機に備えられる可変表示部にも適用可能である。具体的に言うと、所定の価値としての遊技球（パチンコ球）を使用することで遊技を行うことが可能なパチンコ機にも適用することが可能である。
【０１５０】
パチンコ機に備えられる可変表示装置は、前述したベルト状可変表示装置５０と同様に回動自在に掛け渡された無端状のベルトを備えることができ、例えば遊技盤における遊技領域中央に形成された設置用開口部に前面扉の前方から嵌合して、適宜保持手段にて保持することにより取り付けることができる。
【０１５１】
さらに本発明のベルト状可変表示装置は、１ゲームに対して所定の価値としての遊技媒体であるメダルにて賭数を設定することによりゲーム（遊技）が開始可能となるとともに、表示状態を変化させることが可能な可変表示装置の表示結果が導出表示されることにより１ゲームが終了し、該可変表示装置の表示結果に応じて所定の入賞が発生可能なメダル式スロットマシンにも適用可能である。
【０１５２】
メダル式スロットマシンは、賭数の設定に使用する遊技媒体として遊技球であるパチンコ球ではなくメダルを用いる点がスロットマシン１と異なるだけで、その他の構成やゲーム方法はスロットマシン１とほぼ同一であるため、詳細な説明は省略することとする。
【０１５３】
メダル式スロットマシンにおいても、上記可変表示装置５０と同様に回動自在に掛け渡された無端状のベルトを備える可変表示装置は、各種部位や各種装置が配置される筐体内における前面扉に形成された透視窓に対応する箇所に設置すればよく、適用することが可能である。
【０１５４】
また、本発明が適用可能な遊技機としてのパチンコ球を用いたスロットマシン、メダル式ロットマシン、パチンコ機等において遊技を実行可能な所定の価値は、遊技媒体としての遊技球（パチンコ球）やメダル等に限定されるものではなく、遊技者所有の価値（有価価値）としてスロットマシン１内部の記憶部に記憶されている遊技球（パチンコ球）数やメダル数に相当するクレジット等が含まれる。
【０１５５】
前記実施例における各要素は、本発明に対して以下のように対応している。
【０１５６】
本発明の請求項１は、所定の価値を用いて遊技を実行可能であり、該遊技の結果に基づいて所定の遊技価値を付与することが可能であるとともに、複数の表示情報（図柄）が配置された可変表示部材（ベルト５１Ｌ、５１Ｃ、５１Ｒ）を可動させることで前記表示情報が可変表示される可変表示装置（５０）を備える遊技機（スロットマシン１）であって、
前記可変表示装置は、
前記可変表示部材を摺動案内するガイド部材（駆動プーリ３３１、従動プーリ３３２ａ〜３３２ｄ、３３２ａ’〜３３２ｄ’、３３３ａ〜３３３ｆ、３３３ａ’〜３３３ｆ’、水平軸３５６、３５６’、ボールベアリングＢ）と、
前記ガイド部材が設けられる取付部材（ベルト取付板３１５、３１６）と、を備え、
前記可変表示部材に摺接する前記ガイド部材の少なくとも一部及び前記取付部材を導電部材（アルミニウム）により構成し、前記可変表示部材と前記取付部材とを前記ガイド部材を介して電気的に導通させるとともに、前記取付部材を接地（アース）した。
【０１５７】
本発明の請求項２は、前記可変表示装置を制御する制御手段（遊技制御部）が設けられた制御基板（遊技制御基板２００）と、
前記可変表示装置（５０）の駆動制御に用いられる電気部品（ベルトセンサ５４Ｌ、５４Ｃ、５４Ｒ、ベルトモータ５６Ｌ、５６Ｃ、５６Ｒ）と前記制御基板との配線（３６５Ｃ、３６６Ｃ）を中継する中継基板（ベルト中継基板３６４Ｌ、３６４Ｃ、３６４Ｒ）と、を備え、
前記取付部材（ベルト取付板３１５、３１６）を、前記中継基板に設けられているグランド線（ＧＮＤ）を介して接地（アース）した。
【０１５８】
本発明の請求項３は、前記可変表示部材は無端状のベルト（５１Ｌ、５１Ｃ、５１Ｒ）で構成され、
前記ガイド部材は、前記取付部材（ベルト取付板３１５、３１６）に回転自在に配置された複数の回転体（駆動プーリ３３１、従動プーリ３３２ａ〜３３２ｄ、３３２ａ’〜３３２ｄ’、３３３ａ〜３３３ｆ、３３３ａ’〜３３３ｆ’、水平軸３５６、３５６’、ボールベアリングＢ）で構成されており、前記複数の回転体のうちの少なくとも１つ（従動プーリ３３２ａ、３３２ａ’、水平軸３５６、３５６’、ボールベアリングＢ）を導電部材（アルミニウム）により構成した。
【０１５９】
本発明の請求項４は、前記複数の回転体（駆動プーリ３３１、従動プーリ３３２ａ〜３３２ｄ、３３２ａ’〜３３２ｄ’、３３３ａ〜３３３ｆ、３３３ａ’〜３３３ｆ’）のうち、前記ベルト（５１Ｌ、５１Ｃ、５１Ｒ）を張設するための張設用回転体（従動プーリ３３２ａ、３３２ａ’、水平軸３５６、３５６’、ボールベアリングＢ）を導電部材（アルミニウム）により構成した。
【０１６０】
本発明の請求項５は、前記可変表示装置（５０）は、前記ベルト（５１Ｌ、５１Ｃ、５１Ｒ）の回転位置を検出するための位置検出手段（ベルトセンサ５６Ｌ、５６Ｃ、５６Ｒ、基準マークＭ）を備え、
前記位置検出手段は、前記ベルトに印された被検出部（基準マークＭ）と、
前記被検出部を検出する検出センサ（ベルトセンサ５６Ｌ、５６Ｃ、５６Ｒ）と、
から構成されている。
【０１６１】
本発明の請求項６は、前記可変表示部材（ベルト５１Ｌ、５１Ｃ、５１Ｒ）は、帯電防止部材（内面に導電性部材が含有された塗料が蒸着された基材）により構成されている。
【０１６２】
以上、本発明の実施例を図面により説明してきたが、本発明はこれら実施例に限定されるものではなく、本発明の主旨を逸脱しない範囲における変更や追加があっても本発明に含まれることは言うまでもない。
【０１６３】
例えば、上記実施例におけるベルト状可変表示装置５０にあっては、可変表示部材であるベルトが掛け渡されるガイド部材は、回動自在に設けられた回転体（従動プーリ）により構成されていたが、掛け渡されたベルトを摺動案内することが出来るものであれば、従動プーリを回動不能に固定して使用したり、あるいは左右のベルト取付板３１５、３１６に、ベルトの回動方向に沿うように形成したガイド片等にて構成してもよい。また、ガイド部材としての従動プーリや駆動回転体の配置位置や設置数等は上記実施例に記載したものに限定されるものではなく、種々に変形可能である。
【０１６４】
また、上記実施例における可変表示装置５０は、複数組みのベルトユニット３１０Ｌ、３１０Ｃ、３１０Ｒが互いに並設されることにより構成されていたが、ベルト状可変表示装置を構成する少なくとも１つのベルトユニット３１０により構成されていてもよいし、３つ以上の複数のベルトユニット３１０により構成されていてもよい。さらに、このようなベルト状可変表示装置は、例えば液晶表示部１５等にも適用可能であり、その配置場所等は上記実施例のものに限定されるものではない。
【０１６５】
なお、上記実施例のベルト５１Ｌ、５１Ｃ、５１Ｒは、ベルト５１Ｃの外面（表面）への塵や埃等のゴミの付着を防止するために、内面（裏面）に導電性を有する素材を含有させた塗料を蒸着することにより導電層を形成していたが、本発明はこれに限定されるものではなく、ベルト５１Ｃに塵や埃等のゴミが付着しにくくなれば、例えばベルト５１Ｌ、５１Ｃ、５１Ｒの外面に導電性を有する素材を含有させた塗料を蒸着させてもよいし、あるいは導電性を有する素材が含有されたフィルムシート等をベルト５１Ｌ、５１Ｃ、５１Ｒに貼着することにより導電層を形成してもよい。あるいは、ベルト５１Ｌ、５１Ｃ、５１Ｒを構成する基材自体を導電性を有する素材が含有された樹脂材により構成したり、帯電防止剤等が練り込まれた樹脂材にて構成してもよい。
【０１６６】
また、導電層の形成箇所は内面または外面のうちの少なくとも一方に形成されていればよいとともに、内面又は外面の全面でなくても、例えばガイド部材としての駆動プーリや従動プーリとの当接面のみに形成されていればよい。
【０１６７】
さらに、ガイド部材としての駆動プーリや従動プーリ自体を導電性を有する素材が含有された樹脂材により構成して導電性部材からなる導電層を形成してもよい。このように導電層はガイド部材及びベルトそれぞれに形成すれば除電効果が高まることから好ましい。
【０１６８】
また、本発明請求項中に記載の「表示情報」は、例えば上記実施例にて記載した図柄のように、入賞内容等を識別可能に構成される識別情報としての図柄のみに限定されるものではなく、所定の情報を遊技者に表示可能に構成される絵柄、文字、数字、色彩等により構成されていてもよい。
【０１６９】
また、上記実施例に記載のスロットマシン１は、並設されるカードユニット８００にプリペイドカードを用いることでパチンコ球が貸し出されるようになっていたが、パチンコ球の貸出し方法は限定されるものではなく、現金の使用が可能な現金ユニットに貨幣を挿入することで所定数のパチンコ球が貸し出されるようにしてもよい。
【０１７０】
【発明の効果】
本発明は以下の効果を奏する。
【０１７１】
（ａ）請求項１項の発明によれば、可変表示部材がガイド部材に摺動案内されることで発生する静電気を、ガイド部材を介して接地された取付部材に確実に逃がすことができるので、可変表示部材に帯電する静電気を逃がすための部材を別途設けること等なく可変表示部材の帯電が防止され、そのため塵やゴミ等が可変表示部材に付着しづらくなり、可変表示部材に配置された表示情報の視認性が妨げられることがなくなる。
【０１７２】
（ｂ）請求項２項の発明によれば、可変表示部材に帯電した静電気を、中継基板に設けられているグランド線を利用して逃がすことが出来るため、取付部材にアース線等を別途設けて直接接地する場合に比較して配線を簡素化することができるので、部品点数を省略できコストの低減化を図ることが出来る。
【０１７３】
（ｃ）請求項３項の発明によれば、ベルトの回動に応じて該ベルトを摺動案内する回転体が回転するため、ベルトと回転体との摺動によるベルトの帯電を極力抑制することが出来る。
【０１７４】
（ｄ）請求項４項の発明によれば、ベルトが経年劣化しても、張設用回転体により回転体にベルトを確実に接触させることが出来るため、ベルトに帯電した静電気を確実に逃がすことが出来る。
【０１７５】
（ｅ）請求項５項の発明によれば、ベルトに被検出部があるものにおいて、塵やゴミ等がベルトに付着して被検出部以外を被検出部として検出してしまうような回転位置の誤検出を防止することが出来る。
【０１７６】
（ｆ）請求項６項の発明によれば、塵やゴミ等が可変表示部材に付着する原因となる静電気の帯電を極力防止することが出来る。
【図面の簡単な説明】
【図１】本発明が適用された遊技機の一例であるパチンコ球を使用したスロットマシンを示す正面図である。
【図２】図１のスロットマシンの内部構造を示す図である。
【図３】図２のスロットマシンの縦断面図である。
【図４】ベルトの展開図を示す図である。
【図５】可変表示装置の構成を示す斜視図である。
【図６】ベルトユニット３１０Ｃの内部構造を示す断面図である。
【図７】ベルトユニット３１０Ｃの内部構造を示す一部破断正面図である。
【図８】図６のＡ−Ａ断面図である。
【図９】スロットマシンの構成を示すブロック図である。
【図１０】ベルト中継基板の構成を示す回路図である。
【図１１】（ａ）は、ベルト中継基板の断面図であり、（ｂ）は、ベルト中継基板の側面図である。
【図１２】可変表示装置が熱膨張するときの概念図である。
【符号の説明】
１                      スロットマシン
５０                    可変表示装置
５１Ｌ、５１Ｃ、５１Ｒ  ベルト
５４Ｌ、５４Ｃ、５４Ｒ  ベルトモータ
５６Ｌ、５６Ｃ、５６Ｒ  ベルトセンサ
３１０Ｌ、３１０Ｃ、３１０Ｒ  ベルトユニット
３３１                  駆動プーリ
３３２ａ〜３３２ｄ      従動プーリ
３３２ａ’〜３３２ｄ’  従動プーリ
３３３ａ〜３３３ｆ      従動プーリ
３３３ａ’〜３３３ｆ’  従動プーリ
２００                  遊技制御基板
２０２                  電源基板
３１５、３１６          ベルト取付板
３６４Ｌ、３６４Ｃ、３６４Ｒ  ベルト中継基板
３６５Ｃ、３６６Ｃ      配線
【図１】
2004350794.tif 000003
【図２】
2004350794.tif 000004
【図３】
2004350794.tif 000005
【図４】
2004350794.tif 000006
【図５】
2004350794.tif 000007
【図６】
2004350794.tif 000008
【図７】
2004350794.tif 000009
【図８】
2004350794.tif 000010
【図９】
2004350794.tif 000011
【図１０】
2004350794.tif 000012
【図１１】
2004350794.tif 000013
【図１２】
2004350794.tif 000014